(57)【要約】  本願の実施例はリソース割り当て方法、端末装置及びネットワーク装置を提供し、リソース割り当ての単位がインターレース構造である場合、ＮＲ−Ｕシステムが様々なサブキャリア間隔をサポートできるため、設定されたＢＷＰにおいて、異なるサブキャリア間隔に異なるオフセット値を設定することにより、異なるサブキャリア間隔におけるインターレースの開始位置を同じにすることができ、ネットワーク装置がリソース割り当てを行うこと、又はインターレースで整数分割できないＰＲＢを帯域幅の中心位置に予約することに役立ち、リソースの連続割り当て状況におけるＰＲＡＣＨを伝送することに役立つ。該方法は、端末装置がネットワーク装置から送信された第１指示情報を受信し、前記第１指示情報は、第１ＢＷＰにおける第１インターレースに含まれる周波数領域ユニットを決定することに用いられることと、前記端末装置が前記第１指示情報に基づいて、前記第１インターレースに含まれる周波数領域ユニットを決定することと、を含む。
2021534687.tif 000002
【特許請求の範囲】
【請求項１】
リソース割り当て方法であって、
端末装置がネットワーク装置から送信された第１指示情報を受信し、前記第１指示情報は、第１帯域幅パート（ＢＷＰ）における第１インターレースに含まれる周波数領域ユニットを決定することに用いられることと、
前記端末装置が前記第１指示情報に基づいて、前記第１インターレースに含まれる周波数領域ユニットを決定することと、を含むことを特徴とするリソース割り当て方法。
【請求項２】
前記端末装置が前記第１指示情報に基づいて前記第１インターレースに含まれる周波数領域ユニットを決定することは、
前記端末装置が第１オフセット値及び前記第１指示情報に基づいて、前記第１インターレースに含まれる周波数領域ユニットを決定することを含むことを特徴とする請求項１に記載の方法。
【請求項３】
前記端末装置が第１オフセット値及び前記第１指示情報に基づいて前記第１インターレースに含まれる周波数領域ユニットを決定することは、
前記端末装置が前記第１オフセット値に基づいて、基本インターレースに含まれる周波数領域ユニットを決定することと、
前記端末装置が前記基本インターレースに含まれる周波数領域ユニット及び前記第１指示情報に基づいて、前記第１インターレースに含まれる周波数領域ユニットを決定することと、を含むことを特徴とする請求項２に記載の方法。
【請求項４】
前記基本インターレースに含まれる周波数領域ユニットＸは、
Ｍｏｄ（Ｘ，Ｍ）＝前記第１オフセット値を満足し、
Ｍｏｄはモジュロ演算を示し、Ｘは前記基本インターレースに含まれる周波数領域ユニットのインデックスを示し、値範囲が０〜Ｎ−１であり、Ｍは前記第１ＢＷＰに含まれるインターレースの総個数を示し、Ｎは前記第１ＢＷＰに含まれる周波数領域ユニットの総個数を示し、ＭとＮが正の整数であることを特徴とする請求項３に記載の方法。
【請求項５】
前記第１インターレースに含まれる周波数領域ユニットＹは、
Ｍｏｄ（Ｙ，Ｍ）＝前記第１オフセット値を満足し、
Ｍｏｄはモジュロ演算を示し、Ｙは前記第１インターレースに含まれる周波数領域ユニットのインデックスを示し、値範囲が０〜Ｎ−１であり、Ｍは前記第１ＢＷＰに含まれるインターレースの総個数を示し、Ｎは前記第１ＢＷＰに含まれる周波数領域ユニットの総個数を示し、ＭとＮが正の整数であることを特徴とする請求項２に記載の方法。
【請求項６】
前記第１オフセット値は予め設定されたものであり、又は、
前記第１オフセット値は、前記ネットワーク装置が第２指示情報で前記端末装置に示すものであることを特徴とする請求項２〜５のいずれか１項に記載の方法。
【請求項７】
前記第１オフセット値は前記第１ＢＷＰに基づいて決定したものであり、及び／又は、
前記第１オフセット値は第１サブキャリア間隔に基づいて決定したものであり、前記第１サブキャリア間隔は前記第１ＢＷＰに対応する第１サブキャリア間隔であり、及び／又は、
前記第１オフセット値はＭ値に基づいて決定したものであり、前記Ｍ値は前記第１ＢＷＰに含まれるインターレースの総個数を示すことを特徴とする請求項２〜６のいずれか１項に記載の方法。
【請求項８】
前記Ｍ値は予め設定されたものであり、又は、
前記Ｍ値は前記第１ＢＷＰ及び前記第１サブキャリア間隔に基づいて決定したものであり、又は、
前記Ｍ値は前記ネットワーク装置が第３指示情報で前記端末装置に示すものであることを特徴とする請求項７に記載の方法。
【請求項９】
前記方法は更に、
前記端末装置が、前記第１ＢＷＰに前記第１インターレースで整数分割できない少なくとも１つの周波数領域ユニットがあることを決定し、前記少なくとも１つの周波数領域ユニットが前記第１ＢＷＰにおける第１予約位置に位置することを含み、
前記端末装置が前記第１指示情報に基づいて前記第１インターレースに含まれる周波数領域ユニットを決定することは、
前記端末装置が前記第１予約位置及び前記第１指示情報に基づいて、前記第１インターレースに含まれる周波数領域ユニットを決定することを含むことを特徴とする請求項１に記載の方法。
【請求項１０】
前記第１予約位置は前記第１ＢＷＰの中心位置を含むことを特徴とする請求項９に記載の方法。
【請求項１１】
前記第１予約位置に対応する周波数領域ユニットは、リソースの連続割り当て状況におけるアップリンクチャネルを伝送することに用いられることを特徴とする請求項９又は１０に記載の方法。
【請求項１２】
前記アップリンクチャネルは、物理アップリンク制御チャネル（ＰＵＣＣＨ）又は物理ランダムアクセスチャネル（ＰＲＡＣＨ）であることを特徴とする請求項１１に記載の方法。
【請求項１３】
前記第１インターレースに含まれる周波数領域ユニットは、第１アップリンクチャネルを伝送するための第１サブインターレースと、第２アップリンクチャネルを伝送するための第２サブインターレースとを含むことを特徴とする請求項１〜１２のいずれか１項に記載の方法。
【請求項１４】
前記第１アップリンクチャネルはＰＲＡＣＨであり、前記第２アップリンクチャネルはＰＵＣＣＨであり、又は、
前記第１アップリンクチャネルと前記第２アップリンクチャネルは異なるＰＵＣＣＨであることを特徴とする請求項１３に記載の方法。
【請求項１５】
前記第１サブインターレースは前記第１インターレースに含まれる周波数領域ユニットのうちの奇数番目の周波数領域ユニットであり、前記第２サブインターレースは前記第１インターレースに含まれる周波数領域ユニットのうちの偶数番目の周波数領域ユニットであり、又は、
前記第１サブインターレースは前記第１インターレースに含まれる周波数領域ユニットのうちの上位Ｐ個の周波数領域ユニットであり、前記第２サブインターレースは前記第１インターレースに含まれる周波数領域ユニットのうちの下位Ｑ個の周波数領域ユニットであり、ＰとＱが正の整数であることを特徴とする請求項１３又は１４に記載の方法。
【請求項１６】
リソース割り当て方法であって、
ネットワーク装置が第１指示情報を端末装置に送信し、前記第１指示情報は、第１帯域幅パート（ＢＷＰ）における第１インターレースに含まれる周波数領域ユニットを決定することに用いられることを含むことを特徴とするリソース割り当て方法。
【請求項１７】
前記第１インターレースに含まれる周波数領域ユニットは、前記第１指示情報及び第１オフセット値に基づいて決定したものであることを特徴とする請求項１６に記載の方法。
【請求項１８】
前記第１オフセット値は基本インターレースに含まれる周波数領域ユニットを決定することに用いられ、前記第１インターレースに含まれる周波数領域ユニットは具体的に、前記第１指示情報及び前記基本インターレースに含まれる周波数領域ユニットに基づいて決定したものであることを特徴とする請求項１７に記載の方法。
【請求項１９】
前記基本インターレースに含まれる周波数領域ユニットＸは、
Ｍｏｄ（Ｘ，Ｍ）＝前記第１オフセット値を満足し、
Ｍｏｄはモジュロ演算を示し、Ｘは前記基本インターレースに含まれる周波数領域ユニットのインデックスを示し、値範囲が０〜Ｎ−１であり、Ｍは前記第１ＢＷＰに含まれるインターレースの総個数を示し、Ｎは前記第１ＢＷＰに含まれる周波数領域ユニットの総個数を示し、ＭとＮが正の整数であることを特徴とする請求項１８に記載の方法。
【請求項２０】
前記第１インターレースに含まれる周波数領域ユニットＹは、
Ｍｏｄ（Ｙ，Ｍ）＝前記第１オフセット値を満足し、
Ｍｏｄはモジュロ演算を示し、Ｙは前記第１インターレースに含まれる周波数領域ユニットのインデックスを示し、値範囲が０〜Ｎ−１であり、Ｍは前記第１ＢＷＰに含まれるインターレースの総個数を示し、Ｎは前記第１ＢＷＰに含まれる周波数領域ユニットの総個数を示し、ＭとＮが正の整数であることを特徴とする請求項１７に記載の方法。
【請求項２１】
前記方法は更に、
前記ネットワーク装置が第２指示情報を前記端末装置に送信し、前記第２指示情報は前記第１オフセット値を決定することに用いられることを含むことを特徴とする請求項１７〜２０のいずれか１項に記載の方法。
【請求項２２】
前記第１オフセット値は前記第１ＢＷＰに基づいて決定したものであり、及び／又は、
前記第１オフセット値は第１サブキャリア間隔に基づいて決定したものであり、前記第１サブキャリア間隔は前記第１ＢＷＰに対応する第１サブキャリア間隔であり、及び／又は、
前記第１オフセット値はＭ値に基づいて決定したものであり、前記Ｍ値は前記第１ＢＷＰに含まれるインターレースの総個数を示すことを特徴とする請求項１７〜２１のいずれか１項に記載の方法。
【請求項２３】
前記方法は更に、
前記ネットワーク装置が第３指示情報を前記端末装置に送信し、前記第３指示情報は前記Ｍ値を決定することに用いられることを含むことを特徴とする請求項２２に記載の方法。
【請求項２４】
前記方法は更に、
前記ネットワーク装置が、前記第１ＢＷＰに前記第１インターレースで整数分割できない少なくとも１つの周波数領域ユニットがあることを決定し、前記少なくとも１つの周波数領域ユニットが前記第１ＢＷＰにおける第１予約位置に位置し、前記第１インターレースに含まれる周波数領域ユニットは前記第１予約位置及び前記第１指示情報に基づいて決定したものであることを含むことを特徴とする請求項１６に記載の方法。
【請求項２５】
前記第１予約位置は前記第１ＢＷＰの中心位置を含むことを特徴とする請求項２４に記載の方法。
【請求項２６】
前記第１予約位置に対応する周波数領域ユニットは、リソースの連続割り当て状況におけるアップリンクチャネルを伝送することに用いられることを特徴とする請求項２４又は２５に記載の方法。
【請求項２７】
前記アップリンクチャネルは、物理アップリンク制御チャネル（ＰＵＣＣＨ）又は物理ランダムアクセスチャネル（ＰＲＡＣＨ）であることを特徴とする請求項２６に記載の方法。
【請求項２８】
前記第１インターレースに含まれる周波数領域ユニットは、第１アップリンクチャネルを伝送するための第１サブインターレースと、第２アップリンクチャネルを伝送するための第２サブインターレースとを含むことを特徴とする請求項１６〜２７のいずれか１項に記載の方法。
【請求項２９】
前記第１アップリンクチャネルはＰＲＡＣＨであり、前記第２アップリンクチャネルはＰＵＣＣＨであり、又は、
前記第１アップリンクチャネルと前記第２アップリンクチャネルは異なるＰＵＣＣＨであることを特徴とする請求項２８に記載の方法。
【請求項３０】
前記第１サブインターレースは前記第１インターレースに含まれる周波数領域ユニットのうちの奇数番目の周波数領域ユニットであり、前記第２サブインターレースは前記第１インターレースに含まれる周波数領域ユニットのうちの偶数番目の周波数領域ユニットであり、又は、
前記第１サブインターレースは前記第１インターレースに含まれる周波数領域ユニットのうちの上位Ｐ個の周波数領域ユニットであり、前記第２サブインターレースは前記第１インターレースに含まれる周波数領域ユニットのうちの下位Ｑ個の周波数領域ユニットであり、ＰとＱが正の整数であることを特徴とする請求項２８又は２９に記載の方法。
【請求項３１】
端末装置であって、通信ユニットと処理ユニットを備え、
前記通信ユニットは、ネットワーク装置から送信された第１指示情報を受信することに用いられ、前記第１指示情報は、第１帯域幅パート（ＢＷＰ）における第１インターレースに含まれる周波数領域ユニットを決定することに用いられ、
前記処理ユニットは、前記第１指示情報に基づいて前記第１インターレースに含まれる周波数領域ユニットを決定することに用いられることを特徴とする端末装置。
【請求項３２】
前記処理ユニットは具体的に、
第１オフセット値及び前記第１指示情報に基づいて、前記第１インターレースに含まれる周波数領域ユニットを決定することに用いられることを特徴とする請求項３１に記載の端末装置。
【請求項３３】
前記処理ユニットは具体的に、
前記第１オフセット値に基づいて、基本インターレースに含まれる周波数領域ユニットを決定することと、
前記基本インターレースに含まれる周波数領域ユニット及び前記第１指示情報に基づいて、前記第１インターレースに含まれる周波数領域ユニットを決定することと、に用いられることを特徴とする請求項３２に記載の端末装置。
【請求項３４】
前記基本インターレースに含まれる周波数領域ユニットＸは、
Ｍｏｄ（Ｘ，Ｍ）＝前記第１オフセット値を満足し、
Ｍｏｄはモジュロ演算を示し、Ｘは前記基本インターレースに含まれる周波数領域ユニットのインデックスを示し、値範囲が０〜Ｎ−１であり、Ｍは前記第１ＢＷＰに含まれるインターレースの総個数を示し、Ｎは前記第１ＢＷＰに含まれる周波数領域ユニットの総個数を示し、ＭとＮが正の整数であることを特徴とする請求項３３に記載の端末装置。
【請求項３５】
前記第１インターレースに含まれる周波数領域ユニットＹは、
Ｍｏｄ（Ｙ，Ｍ）＝前記第１オフセット値を満足し、
Ｍｏｄはモジュロ演算を示し、Ｙは前記第１インターレースに含まれる周波数領域ユニットのインデックスを示し、値範囲が０〜Ｎ−１であり、Ｍは前記第１ＢＷＰに含まれるインターレースの総個数を示し、Ｎは前記第１ＢＷＰに含まれる周波数領域ユニットの総個数を示し、ＭとＮが正の整数であることを特徴とする請求項３２に記載の端末装置。
【請求項３６】
前記第１オフセット値は予め設定されたものであり、又は、
前記第１オフセット値は、前記ネットワーク装置が第２指示情報で前記端末装置に示すものであることを特徴とする請求項３２〜３５のいずれか１項に記載の端末装置。
【請求項３７】
前記第１オフセット値は前記第１ＢＷＰに基づいて決定したものであり、及び／又は、
前記第１オフセット値は第１サブキャリア間隔に基づいて決定したものであり、前記第１サブキャリア間隔は前記第１ＢＷＰに対応する第１サブキャリア間隔であり、及び／又は、
前記第１オフセット値はＭ値に基づいて決定したものであり、前記Ｍ値は前記第１ＢＷＰに含まれるインターレースの総個数を示すことを特徴とする請求項３２〜３６のいずれか１項に記載の端末装置。
【請求項３８】
前記Ｍ値は予め設定されたものであり、又は、
前記Ｍ値は前記第１ＢＷＰ及び前記第１サブキャリア間隔に基づいて決定したものであり、又は、
前記Ｍ値は前記ネットワーク装置が第３指示情報で前記端末装置に示すものであることを特徴とする請求項３７に記載の端末装置。
【請求項３９】
前記処理ユニットは更に、前記第１ＢＷＰに前記第１インターレースで整数分割できない少なくとも１つの周波数領域ユニットがあることを決定することに用いられ、前記少なくとも１つの周波数領域ユニットは前記第１ＢＷＰにおける第１予約位置に位置し、
前記処理ユニットは具体的に、
前記第１予約位置及び前記第１指示情報に基づいて、前記第１インターレースに含まれる周波数領域ユニットを決定することに用いられることを特徴とする請求項３１に記載の端末装置。
【請求項４０】
前記第１予約位置は前記第１ＢＷＰの中心位置を含むことを特徴とする請求項３９に記載の端末装置。
【請求項４１】
前記第１予約位置に対応する周波数領域ユニットは、リソースの連続割り当て状況におけるアップリンクチャネルを伝送することに用いられることを特徴とする請求項３９又は４０に記載の端末装置。
【請求項４２】
前記アップリンクチャネルは、物理アップリンク制御チャネル（ＰＵＣＣＨ）又は物理ランダムアクセスチャネル（ＰＲＡＣＨ）であることを特徴とする請求項４１に記載の端末装置。
【請求項４３】
前記第１インターレースに含まれる周波数領域ユニットは、第１アップリンクチャネルを伝送するための第１サブインターレースと、第２アップリンクチャネルを伝送するための第２サブインターレースとを含むことを特徴とする請求項３１〜４２のいずれか１項に記載の端末装置。
【請求項４４】
前記第１アップリンクチャネルはＰＲＡＣＨであり、前記第２アップリンクチャネルはＰＵＣＣＨであり、又は、
前記第１アップリンクチャネルと前記第２アップリンクチャネルは異なるＰＵＣＣＨであることを特徴とする請求項４３に記載の端末装置。
【請求項４５】
前記第１サブインターレースは前記第１インターレースに含まれる周波数領域ユニットのうちの奇数番目の周波数領域ユニットであり、前記第２サブインターレースは前記第１インターレースに含まれる周波数領域ユニットのうちの偶数番目の周波数領域ユニットであり、又は、
前記第１サブインターレースは前記第１インターレースに含まれる周波数領域ユニットのうちの上位Ｐ個の周波数領域ユニットであり、前記第２サブインターレースは前記第１インターレースに含まれる周波数領域ユニットのうちの下位Ｑ個の周波数領域ユニットであり、ＰとＱが正の整数であることを特徴とする請求項４３又は４４に記載の端末装置。
【請求項４６】
ネットワーク装置であって、通信ユニットを備え、
前記通信ユニットは、第１指示情報を端末装置に送信することに用いられ、前記第１指示情報は、第１帯域幅パート（ＢＷＰ）における第１インターレースに含まれる周波数領域ユニットを決定することに用いられることを特徴とするネットワーク装置。
【請求項４７】
前記第１インターレースに含まれる周波数領域ユニットは、前記第１指示情報及び第１オフセット値に基づいて決定したものであることを特徴とする請求項４６に記載のネットワーク装置。
【請求項４８】
前記第１オフセット値は基本インターレースに含まれる周波数領域ユニットを決定することに用いられ、前記第１インターレースに含まれる周波数領域ユニットは具体的に、前記第１指示情報及び前記基本インターレースに含まれる周波数領域ユニットに基づいて決定したものであることを特徴とする請求項４７に記載のネットワーク装置。
【請求項４９】
前記基本インターレースに含まれる周波数領域ユニットＸは、
Ｍｏｄ（Ｘ，Ｍ）＝前記第１オフセット値を満足し、
Ｍｏｄはモジュロ演算を示し、Ｘは前記基本インターレースに含まれる周波数領域ユニットのインデックスを示し、値範囲が０〜Ｎ−１であり、Ｍは前記第１ＢＷＰに含まれるインターレースの総個数を示し、Ｎは前記第１ＢＷＰに含まれる周波数領域ユニットの総個数を示し、ＭとＮが正の整数であることを特徴とする請求項４８に記載のネットワーク装置。
【請求項５０】
前記第１インターレースに含まれる周波数領域ユニットＹは、
Ｍｏｄ（Ｙ，Ｍ）＝前記第１オフセット値を満足し、
Ｍｏｄはモジュロ演算を示し、Ｙは前記第１インターレースに含まれる周波数領域ユニットのインデックスを示し、値範囲が０〜Ｎ−１であり、Ｍは前記第１ＢＷＰに含まれるインターレースの総個数を示し、Ｎは前記第１ＢＷＰに含まれる周波数領域ユニットの総個数を示し、ＭとＮが正の整数であることを特徴とする請求項４７に記載のネットワーク装置。
【請求項５１】
前記通信ユニットは更に、第２指示情報を前記端末装置に送信することに用いられ、前記第２指示情報は前記第１オフセット値を決定することに用いられることを特徴とする請求項４７〜５０のいずれか１項に記載のネットワーク装置。
【請求項５２】
前記第１オフセット値は前記第１ＢＷＰに基づいて決定したものであり、及び／又は、
前記第１オフセット値は第１サブキャリア間隔に基づいて決定したものであり、前記第１サブキャリア間隔は前記第１ＢＷＰに対応する第１サブキャリア間隔であり、及び／又は、
前記第１オフセット値はＭ値に基づいて決定したものであり、前記Ｍ値は前記第１ＢＷＰに含まれるインターレースの総個数を示すことを特徴とする請求項４７〜５１のいずれか１項に記載のネットワーク装置。
【請求項５３】
前記通信ユニットは更に、第３指示情報を前記端末装置に送信することに用いられ、前記第３指示情報は前記Ｍ値を決定することに用いられることを特徴とする請求項５２に記載のネットワーク装置。
【請求項５４】
処理ユニットを更に備え、
前記処理ユニットは、前記第１ＢＷＰに前記第１インターレースで整数分割できない少なくとも１つの周波数領域ユニットがあることを決定することに用いられ、前記少なくとも１つの周波数領域ユニットは前記第１ＢＷＰにおける第１予約位置に位置し、前記第１インターレースに含まれる周波数領域ユニットは前記第１予約位置及び前記第１指示情報に基づいて決定したものであることを特徴とする請求項４６に記載のネットワーク装置。
【請求項５５】
前記第１予約位置は前記第１ＢＷＰの中心位置を含むことを特徴とする請求項５４に記載のネットワーク装置。
【請求項５６】
前記第１予約位置に対応する周波数領域ユニットは、リソースの連続割り当て状況におけるアップリンクチャネルを伝送することに用いられることを特徴とする請求項５４又は５５に記載のネットワーク装置。
【請求項５７】
前記アップリンクチャネルは、物理アップリンク制御チャネル（ＰＵＣＣＨ）又は物理ランダムアクセスチャネル（ＰＲＡＣＨ）であることを特徴とする請求項５６に記載のネットワーク装置。
【請求項５８】
前記第１インターレースに含まれる周波数領域ユニットは、第１アップリンクチャネルを伝送するための第１サブインターレースと、第２アップリンクチャネルを伝送するための第２サブインターレースとを含むことを特徴とする請求項４６〜５７のいずれか１項に記載のネットワーク装置。
【請求項５９】
前記第１アップリンクチャネルはＰＲＡＣＨであり、前記第２アップリンクチャネルはＰＵＣＣＨであり、又は、
前記第１アップリンクチャネルと前記第２アップリンクチャネルは異なるＰＵＣＣＨであることを特徴とする請求項５８に記載のネットワーク装置。
【請求項６０】
前記第１サブインターレースは前記第１インターレースに含まれる周波数領域ユニットのうちの奇数番目の周波数領域ユニットであり、前記第２サブインターレースは前記第１インターレースに含まれる周波数領域ユニットのうちの偶数番目の周波数領域ユニットであり、又は、
前記第１サブインターレースは前記第１インターレースに含まれる周波数領域ユニットのうちの上位Ｐ個の周波数領域ユニットであり、前記第２サブインターレースは前記第１インターレースに含まれる周波数領域ユニットのうちの下位Ｑ個の周波数領域ユニットであり、ＰとＱが正の整数であることを特徴とする請求項５８又は５９に記載のネットワーク装置。
【請求項６１】
端末装置であって、プロセッサとメモリを備え、
該メモリはコンピュータプログラムを記憶することに用いられ、前記プロセッサは前記メモリに記憶されるコンピュータプログラムを呼び出して実行して、請求項１〜１５のいずれか１項に記載の方法を実行することに用いられることを特徴とする端末装置。
【請求項６２】
ネットワーク装置であって、プロセッサとメモリを備え、
該メモリはコンピュータプログラムを記憶することに用いられ、前記プロセッサは前記メモリに記憶されるコンピュータプログラムを呼び出して実行して、請求項１６〜３０のいずれか１項に記載の方法を実行することに用いられることを特徴とするネットワーク装置。
【請求項６３】
チップであって、
メモリからコンピュータプログラムを呼び出して実行し、前記チップが取り付けられる装置に請求項１〜１５のいずれか１項に記載の方法を実行させることに用いられるプロセッサを備えることを特徴とするチップ。
【請求項６４】
チップであって、
メモリからコンピュータプログラムを呼び出して実行し、前記チップが取り付けられる装置に請求項１６〜３０のいずれか１項に記載の方法を実行させることに用いられるプロセッサを備えることを特徴とするチップ。
【請求項６５】
コンピュータ可読記憶媒体であって、コンピュータプログラムを記憶することに用いられ、前記コンピュータプログラムによってコンピュータが請求項１〜１５のいずれか１項に記載の方法を実行することを特徴とするコンピュータ可読記憶媒体。
【請求項６６】
コンピュータ可読記憶媒体であって、コンピュータプログラムを記憶することに用いられ、前記コンピュータプログラムによってコンピュータが請求項１６〜３０のいずれか１項に記載の方法を実行することを特徴とするコンピュータ可読記憶媒体。
【請求項６７】
コンピュータプログラム製品であって、コンピュータプログラム命令を含み、該コンピュータプログラム命令によってコンピュータが請求項１〜１５のいずれか１項に記載の方法を実行することを特徴とするコンピュータプログラム製品。
【請求項６８】
コンピュータプログラム製品であって、コンピュータプログラム命令を含み、該コンピュータプログラム命令によってコンピュータが請求項１６〜３０のいずれか１項に記載の方法を実行することを特徴とするコンピュータプログラム製品。
【請求項６９】
コンピュータに請求項１〜１５のいずれか１項に記載の方法を実行させることを特徴とするコンピュータプログラム。
【請求項７０】
コンピュータに請求項１６〜３０のいずれか１項に記載の方法を実行させることを特徴とするコンピュータプログラム。
【発明の詳細な説明】
【技術分野】
【０００１】
本願の実施例は通信分野に関し、より具体的に、リソース割り当て方法、端末装置及びネットワーク装置に関する。
【背景技術】
【０００２】
アンライセンススペクトラムにおいて通信するとき、いくつかの法規では、アンライセンススペクトラムチャネルにおいて伝送される信号が少なくとも該チャネル帯域幅の一定比率を占有し、例えば５ＧＨｚ周波数バンドにおいて信号がチャネル帯域幅の８０％を占有し、６０ＧＨｚ周波数バンドにおいて信号がチャネル帯域幅の７０％を占有するように要求されている。また、アンライセンススペクトラムのチャネルにおいて伝送される信号の電力が大きすぎるので、該チャネルにおける他の重要な信号、例えばレーダー信号等の伝送に影響することを回避するために、いくつかの法規では、通信装置がアンライセンススペクトラムのチャネルを使用して信号伝送を行う際の最大パワースペクトル密度を規定した。
【０００３】
無線通信技術の発展に伴い、ロングタームエボリューションシステムに基づくライセンスドアシストアクセス（ＬＡＡ−ＬＴＥ、Ｌｉｃｅｎｓｅｄ−Ａｓｓｉｓｔｅｄ  Ａｃｃｅｓｓ  Ｌｏｎｇ  Ｔｅｒｍ  Ｅｖｏｌｕｔｉｏｎ）システムはキャリアアグリゲーション構造を基に、ライセンススペクトラムにおけるキャリアを主キャリア、アンライセンススペクトラムにおけるキャリアを補助キャリアとして端末装置にサービスを提供する。ＬＡＡ−ＬＴＥシステムにおけるアップリンクデータチャネル伝送において、端末装置がアップリンクデータを伝送するとき、信号が少なくともチャネル帯域幅の８０％を占有するという指標を満足し且つアップリンク信号の送信電力を最大にするように、アップリンクリソース割り当ての基本ユニットをインターレース（ｉｎｔｅｒｌａｃｅ）構造とする。
【０００４】
ところが、ＬＡＡ−ＬＴＥシステムにおいて、サブキャリア間隔を１５ｋＨｚに固定するが、新無線（ＮＲ、Ｎｅｗ  Ｒａｄｉｏ）システムにおいて、サブキャリア間隔のサイズを複数設定してもよく、例えば５ＧＨｚ周波数バンドにおいて、サブキャリア間隔を１５ｋＨｚ、３０ｋＨｚ又は６０ｋＨｚ等にしてもよい。従って、ＮＲ技術がアンライセンススペクトラムに適用される場合、異なるサブキャリア間隔に基づいてインターレース構造を改めて設計する必要がある。
【発明の概要】
【発明が解決しようとする課題】
【０００５】
本願の実施例はリソース割り当て方法、端末装置及びネットワーク装置を提供し、リソース割り当ての単位がインターレース構造である場合、ＮＲ−Ｕシステムが様々なサブキャリア間隔をサポートできるため、設定された帯域幅パート（ＢＷＰ、Ｂａｎｄ  Ｗｉｄｔｈ  Ｐａｒｔ）において異なるサブキャリア間隔に異なるオフセット値を設定することにより、異なるサブキャリア間隔におけるインターレースをユニットとするリソース割り当てを決定することができ、それによりネットワーク装置がリソース割り当てを行うことに役立つ。
【課題を解決するための手段】
【０００６】
第１態様ではリソース割り当て方法を提供し、該方法は、
端末装置がネットワーク装置から送信された第１指示情報を受信し、前記第１指示情報は第１ＢＷＰにおける第１インターレースに含まれる周波数領域ユニットを決定することに用いられることと、
前記端末装置が前記第１指示情報に基づいて前記第１インターレースに含まれる周波数領域ユニットを決定することと、を含む。
【０００７】
なお、該方法はＮＲ−Ｕシステムに適用されてもよく、様々なサブキャリア間隔をサポートすることができる。
【０００８】
第２態様ではリソース割り当て方法を提供し、該方法は、
ネットワーク装置が第１指示情報を端末装置に送信し、前記第１指示情報は第１ＢＷＰにおける第１インターレースに含まれる周波数領域ユニットを決定することに用いられることを含む。
【０００９】
第３態様では端末装置を提供し、上記第１態様又はその各実現方式における方法を実行することに用いられる。
【００１０】
具体的に、該端末装置は上記第１態様又はその各実現方式における方法を実行するための機能モジュールを備える。
【００１１】
第４態様ではネットワーク装置を提供し、上記第２態様又はその各実現方式における方法を実行することに用いられる。
【００１２】
具体的に、該ネットワーク装置は上記第２態様又はその各実現方式における方法を実行するための機能モジュールを備える。
【００１３】
第５態様では端末装置を提供し、プロセッサとメモリを備える。該メモリはコンピュータプログラムを記憶することに用いられ、該プロセッサは該メモリに記憶されるコンピュータプログラムを呼び出して実行して、上記第１態様又はその各実現方式における方法を実行することに用いられる。
【００１４】
第６態様ではネットワーク装置を提供し、プロセッサとメモリを備える。該メモリはコンピュータプログラムを記憶することに用いられ、該プロセッサは該メモリに記憶されるコンピュータプログラムを呼び出して実行して、上記第２態様又はその各実現方式における方法を実行することに用いられる。
【００１５】
第７態様ではチップを提供し、上記第１態様〜第２態様のうちのいずれか１つの態様又はその各実現方式における方法を実現することに用いられる。
【００１６】
具体的に、該チップは、メモリからコンピュータプログラムを呼び出して実行し、該チップが取り付けられる装置に上記第１態様〜第２態様のうちのいずれか１つの態様又はその各実現方式における方法を実行させることに用いられるプロセッサを備える。
【００１７】
第８態様ではコンピュータ可読記憶媒体を提供し、コンピュータプログラムを記憶することに用いられ、該コンピュータプログラムによってコンピュータが上記第１態様〜第２態様のうちのいずれか１つの態様又はその各実現方式における方法を実行する。
【００１８】
第９態様ではコンピュータプログラム製品を提供し、コンピュータプログラム命令を含み、前記コンピュータプログラム命令によってコンピュータが上記第１態様〜第２態様のうちのいずれか１つの態様又はその各実現方式における方法を実行する。
【００１９】
第１０態様ではコンピュータプログラムを提供し、コンピュータにおいて実行されるとき、コンピュータが上記第１態様〜第２態様のうちのいずれか１つの態様又はその各実現方式における方法を実行する。
【発明の効果】
【００２０】
上記技術案によれば、リソース割り当ての単位がインターレース構造である場合、ＮＲ−Ｕシステムが様々なサブキャリア間隔をサポートするため、設定されたＢＷＰにおいて異なるサブキャリア間隔に異なるオフセット値を設定することにより、異なるサブキャリア間隔におけるインターレースをユニットとするリソース割り当てを決定することができ、それによりネットワーク装置がリソース割り当てを行い、又はインターレースで整数分割できないＰＲＢを帯域幅の中心位置に予約することにより、リソースの連続割り当て状況におけるＰＲＡＣＨを伝送することに役立つ。
【図面の簡単な説明】
【００２１】
【図１】図１は本願の実施例に係る通信システムアーキテクチャの模式図である。
【図２】図２は本願の実施例に係るＬＡＡ−ＬＴＥにおけるインターレースの構造模式図である。
【図３】図３は本願の実施例に係るリソース割り当て方法の模式的なフローチャートである。
【図４】図４は本願の実施例に係るインターレースの構造模式図である。
【図５】図５は本願の実施例に係る他のインターレースの構造模式図である。
【図６】図６は本願の実施例に係る他のリソース割り当て方法の模式的なフローチャートである。
【図７】図７は本願の実施例に係る端末装置の模式的なブロック図である。
【図８】図８は本願の実施例に係るネットワーク装置の模式的なブロック図である。
【図９】図９は本願の実施例に係る通信装置の模式的なブロック図である。
【図１０】図１０は本願の実施例に係るチップの模式的なブロック図である。
【図１１】図１１は本願の実施例に係る通信システムの模式的なブロック図である。
【発明を実施するための形態】
【００２２】
以下、本願の実施例の図面を参照しながら、本願の実施例の技術案を説明する。無論、説明される実施例は本願の実施例の一部であり、実施例の全部ではない。本願の実施例に基づいて、当業者が進歩性のある労働を必要とせずに取得する他の実施例は、いずれも本願の保護範囲に属する。
【００２３】
本願の実施例は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、進化型長期発展（ＬＴＥ−Ａ、Ａｄｖａｎｃｅｄ  ｌｏｎｇ  ｔｅｒｍ  ｅｖｏｌｕｔｉｏｎ）システム、新無線（ＮＲ、Ｎｅｗ  Ｒａｄｉｏ）システム、ＮＲシステムの進化したシステム、アンライセンススペクトラムにおけるＬＴＥ（ＬＴＥ−Ｕ、ＬＴＥ−ｂａｓｅｄ  ａｃｃｅｓｓ  ｔｏ  ｕｎｌｉｃｅｎｓｅｄ  ｓｐｅｃｔｒｕｍ）システム、アンライセンススペクトラムにおけるＮＲ（ＮＲ−Ｕ、ＮＲ−ｂａｓｅｄ  ａｃｃｅｓｓ  ｔｏ  ｕｎｌｉｃｅｎｓｅｄ  ｓｐｅｃｔｒｕｍ）システム、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、無線ローカルエリアネットワーク（ＷＬＡＮ、Ｗｉｒｅｌｅｓｓ  Ｌｏｃａｌ  Ａｒｅａ  Ｎｅｔｗｏｒｋｓ）、ワイヤレスフィデリティ（ＷｉＦｉ、Ｗｉｒｅｌｅｓｓ  Ｆｉｄｅｌｉｔｙ）、次世代通信システム又は他の通信システム等に適用されてもよい。
【００２４】
一般的に、従来の通信システムのサポートする接続数が限られたし、実現されやすいが、通信技術の発展に伴い、移動通信システムは従来の通信をサポートするだけでなく、更に例えば端末間（Ｄ２Ｄ、Ｄｅｖｉｃｅ  ｔｏ  Ｄｅｖｉｃｅ）通信、マシン対マシン（Ｍ２Ｍ、Ｍａｃｈｉｎｅ  ｔｏ  Ｍａｃｈｉｎｅ）通信、マシンタイプ通信（ＭＴＣ、Ｍａｃｈｉｎｅ  Ｔｙｐｅ  Ｃｏｍｍｕｎｉｃａｔｉｏｎ）、及び車車間（Ｖ２Ｖ、Ｖｅｈｉｃｌｅ  ｔｏ  Ｖｅｈｉｃｌｅ）通信等をサポートし、本願の実施例はこれらの通信システムに適用されてもよい。
【００２５】
選択肢として、本願の実施例の通信システムはキャリアアグリゲーション（ＣＡ、Ｃａｒｒｉｅｒ  Ａｇｇｒｅｇａｔｉｏｎ）シーンに適用されてもよく、デュアル接続（ＤＣ、Ｄｕａｌ  Ｃｏｎｎｅｃｔｉｖｉｔｙ）シーンに適用されてもよく、スタンドアロン（ＳＡ、Ｓｔａｎｄａｌｏｎｅ）ネットワーク構築シーンに適用されてもよい。
【００２６】
本願の実施例は使用されるスペクトルを制限しない。例えば、本願の実施例はライセンススペクトラムに適用されてもよく、アンライセンススペクトラムに適用されてもよい。
【００２７】
例示的なものとして、本願の実施例に使用される通信システム１００は図１に示される。該通信システム１００はネットワーク装置１１０を備えてもよく、ネットワーク装置１１０は端末装置１２０（通信端末、端末とも称される）と通信する装置であってもよい。ネットワーク装置１１０は特定の地理的領域に通信カバレッジを提供することができ、且つ該カバレッジ領域内の端末装置と通信することができる。
【００２８】
図１には１つのネットワーク装置及び２つの端末装置を例示する。選択肢として、該通信システム１００は複数のネットワーク装置を備えてもよく、且つ各ネットワーク装置のカバレッジ範囲内に他の数の端末装置が含まれてもよく、本願の実施例は制限しない。
【００２９】
選択肢として、該通信システム１００は更にネットワークコントローラ、モビリティ管理エンティティ等の他のネットワークエンティティを備えてもよく、本願の実施例は制限しない。
【００３０】
理解されるように、本願の実施例のネットワーク／システムにおける通信機能を有する装置は通信装置と称されてもよい。図１に示される通信システム１００を例として、通信装置は通信機能を有するネットワーク装置１１０及び端末装置１２０を含んでもよく、ネットワーク装置１１０及び端末装置１２０は上記の具体的な装置であってもよく、ここで詳細な説明は省略する。通信装置は更に通信システム１００における他の装置、例えばネットワークコントローラ、モビリティ管理エンティティ等の他のネットワークエンティティを含んでもよく、本願の実施例は制限しない。
【００３１】
本願の実施例は端末装置及びネットワーク装置と組み合わせて各実施例を説明する。端末装置はユーザー装置（ＵＥ、Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイス等と称されてもよい。端末装置はＷＬＡＮにおけるステーション（ＳＴ、ＳＴＡＩＯＮ）であってもよく、セルラー電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）装置、無線通信機能を有する携帯端末、コンピューティングデバイス又は無線モデムに接続される他の処理装置、車載装置、ウェアラブルデバイス及び次世代通信システム、例えばＮＲネットワークにおける端末装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）ネットワークにおける端末装置等であってもよい。
【００３２】
制限的ではなく例示的なものとして、本願の実施例では、該端末装置は更にウェアラブルデバイスであってもよい。ウェアラブルデバイスはウェアラブルスマート機器と称されてもよく、ウェアラブル技術を用いて日常の服装に対してスマート化設計を行って開発したウェアラブルデバイスの総称、例えばメガネ、手袋、腕時計、服飾及び靴等である。ウェアラブルデバイスは直接に身に着て、又はユーザーの服又はアクセサリに整合した携帯装置の１つである。ウェアラブルデバイスはハードウェア装置であるだけでなく、更にソフトウェアのサポート及びデータ交換、クラウド交換により強い機能を実現するものである。広義では、ウェアラブルスマート機器は機能が完全で、寸法が大きく、スマートフォンに依存せずに完全又は一部の機能を実現する例えばスマート腕時計又はスマートメガネ等、及びあるアプリケーション機能に集中して、他の装置例えばスマートフォンと組み合わせて使用される各種類の身体的兆候を監視するスマートブレスレット、スマートジュエリー等を含む。
【００３３】
ネットワーク装置はモバイルデバイスと通信する装置であってもよく、ＷＬＡＮにおけるアクセスポイント（ＡＰ、Ａｃｃｅｓｓ  Ｐｏｉｎｔ）、ＧＳＭ又はＣＤＭＡにおける基地局（ＢＴＳ、Ｂａｓｅ  Ｔｒａｎｓｃｅｉｖｅｒ  Ｓｔａｔｉｏｎ）であってもよく、ＷＣＤＭＡにおける基地局（ＮＢ、ＮｏｄｅＢ）であってもよく、ＬＴＥにおける発展型基地局（ｅＮＢ又はｅＮｏｄｅＢ、Ｅｖｏｌｕｔｉｏｎａｌ  Ｎｏｄｅ  Ｂ）、又は中継局又はアクセスポイント、又は車載装置、ウェアラブルデバイス及びＮＲネットワークにおけるネットワーク装置（ｇＮＢ）又は将来発展するＰＬＭＮネットワークにおけるネットワーク装置等であってもよい。
【００３４】
本願の実施例では、ネットワーク装置はセルにサービスを提供し、端末装置は該セルに使用される伝送リソース（例えば、周波数領域リソース又はスペクトルリソース）によりネットワーク装置と通信する。該セルはネットワーク装置（例えば、基地局）に対応するセルであってもよく、セルはマクロ基地局に属してもよく、スモールセル（Ｓｍａｌｌ  ｃｅｌｌ）に対応する基地局に属してもよい。ここのスモールセルはメトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）等を含んでもよい。これらのスモールセルはカバレッジ範囲が狭く、送信電力が低いという特徴を有し、高速度のデータ伝送サービスを提供することに適する。
【００３５】
理解されるように、ＬＡＡ−ＬＴＥシステムにおけるアップリンクデータチャネル伝送において、端末装置がアップリンクデータを伝送する際に信号が少なくともチャネル帯域幅の８０％を占有するという指標を満足し且つアップリンク信号の送信電力を最大にするために、アップリンクリソース割り当ての基本ユニットをインターレース構造とする。例えば、図２に示されるインターレース構造であってもよく、チャネル帯域幅が２０ＭＨｚである場合、システムは１００個の物理リソースブロック（ＰＲＢ、ｐｈｙｓｉｃａｌ  ｒｅｓｏｕｒｃｅ  ｂｌｏｃｋ）を含み、該１００個のＰＲＢが１０個のインターレースに分けられ、各インターレースが１０個のＰＲＢを含み、該１０個のＰＲＢのうちの隣接するいずれか２つのＰＲＢの周波数領域での間隔が等しい。例えば、インターレース＃０に含まれるＰＲＢがＰＲＢ０、１０、２０、３０、４０、５０、６０、７０、８０、９０である。
【００３６】
ＮＲ技術をアンライセンススペクトラムに使用するとき、同じ帯域幅シーンにおける異なるサブキャリア間隔のインターレース構造設計を考慮する必要がある。チャネルセンシングの最小帯域幅が２０ＭＨｚであり、該インターレース構造は２０ＭＨｚの帯域幅に基づいて設計されてもよい。ＮＲシステムに基づいて、２０ＭＨｚ帯域幅における異なるサブキャリア間隔（ＳＣＳ、Ｓｕｂｃａｒｒｉｅｒ  ｓｐａｃｉｎｇ）において伝送できる最大ＰＲＢ個数及び予約する必要があるガードバンドサイズはそれぞれ表１及び表２に示される。
【００３７】
【表１】
2021534687.tif 000003
【００３８】
【表２】
2021534687.tif 000004
【００３９】
理解されるように、本願の実施例はアップリンク又はダウンリンク物理チャネル、或いは、アップリンク又はダウンリンク参照信号を伝送するリソース割り当てに適用されてもよい。
【００４０】
選択肢として、本願の実施例のダウンリンク物理チャネルは物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）、拡張型物理ダウンリンク制御チャネル（ＥＰＤＣＣＨ、Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）、物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）、物理ＨＡＲＱ指示チャネル（ＰＨＩＣＨ、Ｐｈｙｓｉｃａｌ  Ｈｙｂｒｉｄ  ＡＲＱ  Ｉｎｄｉｃａｔｏｒ  Ｃｈａｎｎｅｌ）、物理マルチキャストチャネル（ＰＭＣＨ、Ｐｈｙｓｉｃａｌ  Ｍｕｌｔｉｃａｓｔ  Ｃｈａｎｎｅｌ）、物理放送チャネル（ＰＢＣＨ、Ｐｈｙｓｉｃａｌ  Ｂｒｏａｄｃａｓｔ  Ｃｈａｎｎｅｌ）等を含んでもよい。ダウンリンク参照信号はダウンリンク同期信号（Ｓｙｎｃｈｒｏｎｉｚａｔｉｏｎ  Ｓｉｇｎａｌ）、位相トラッキング参照信号（ＰＴ−ＲＳ、Ｐｈａｓｅ  Ｔｒａｃｋｉｎｇ  Ｒｅｆｅｒｅｎｃｅ  Ｓｉｇｎａｌ）、ダウンリンク復調用参照信号（ＤＭＲＳ、ＤｅＭｏｄｕｌａｔｉｏｎ  Ｒｅｆｅｒｅｎｃｅ  Ｓｉｇｎａｌ）、チャネル状態情報参照信号（ＣＳＩ−ＲＳ、Ｃｈａｎｎｅｌ  Ｓｔａｔｅ  Ｉｎｆｏｒｍａｔｉｏｎ−  Ｒｅｆｅｒｅｎｃｅ  Ｓｉｇｎａｌ）、トラッキング参照信号（ＴＲＳ、Ｔｒａｃｋｉｎｇ  Ｒｅｆｅｒｅｎｃｅ  Ｓｉｇｎａｌ）等を含んでもよい。ダウンリンク参照信号は通信装置のネットワークへのアクセス及び無線リソースの管理測定、ダウンリンクチャネルの復調、ダウンリンクチャネルの測定、ダウンリンク時間周波数の同期又は位相トラッキング等に使用されてもよい。理解されるように、本願の実施例では、上記と名称が同じであるが機能が異なるダウンリンク物理チャネル又はダウンリンク参照信号を含んでもよく、上記と名称が異なるが機能が同じであるダウンリンク物理チャネル又はダウンリンク参照信号を含んでもよく、本願は制限しない。
【００４１】
選択肢として、本願の実施例のアップリンク物理チャネルは物理ランダムアクセスチャネル（ＰＲＡＣＨ、Ｐｈｙｓｉｃａｌ  Ｒａｎｄｏｍ  Ａｃｃｅｓｓ  ＣＨａｎｎｅｌ）、物理アップリンク制御チャネル（ＰＵＣＣＨ、Ｐｈｙｓｉｃａｌ  Ｕｐｌｉｎｋ  Ｃｏｎｔｒｏｌ  ＣＨａｎｎｅｌ）、物理アップリンク共有チャネル（ＰＵＳＣＨ、Ｐｈｙｓｉｃａｌ  Ｕｐｌｉｎｋ  Ｓｈａｒｅｄ  ＣＨａｎｎｅｌ）等を含んでもよい。アップリンク参照信号はアップリンクＤＭＲＳ、サウンディング参照信号（ＳＲＳ、Ｓｏｕｎｄｉｎｇ  Ｒｅｆｅｒｅｎｃｅ  Ｓｉｇｎａｌ）、ＰＴ−ＲＳ等を含んでもよい。アップリンク参照信号はアップリンクチャネルの復調、アップリンクチャネルの測定、アップリンク時間周波数の同期又は位相トラッキング等に使用されてもよい。理解されるように、本願の実施例では、上記と名称が同じであるが機能が異なるアップリンク物理チャネル又はアップリンク参照信号を含んでもよく、上記と名称が異なるが機能が同じであるアップリンク物理チャネル又はアップリンク参照信号を含んでもよく、本願は制限しない。
【００４２】
以下、一般性を失うことなく、本願の実施例はアップリンクチャネル伝送を例として本願の実施例のステップを説明する。
【００４３】
図３は本願の実施例に係るリソース割り当て方法２００の模式的なフローチャートであり、図３に示すように、該方法２００は、
端末装置がネットワーク装置から送信された第１指示情報を受信し、該第１指示情報は第１ＢＷＰにおける第１インターレースに含まれる周波数領域ユニットを決定することに用いられるＳ２１０と、
該端末装置が該第１指示情報に基づいて該第１インターレースに含まれる周波数領域ユニットを決定するＳ２２０と、を含んでもよい。
【００４４】
選択肢として、該第１指示情報は第１インターレースのインデックスを示すことに用いられる。
【００４５】
選択肢として、該第１インターレースは第１ＳＣＳに対応するインターレースであり、第１ＳＣＳは第１ＢＷＰに対応するＳＣＳである。
【００４６】
選択肢として、該ネットワーク装置は第２ＳＣＳに基づいて端末装置に第１キャリアの起点と長さを設定し、第１ＳＣＳに基づいて端末装置に第１キャリアにおける第１ＢＷＰの起点と長さを設定し、第１ＳＣＳは第１ＢＷＰに対応するＳＣＳであり、第２ＳＣＳは第１キャリアに対応するＳＣＳである。
【００４７】
本願の実施例では、第１ＢＷＰがＮ個の周波数領域ユニットを含み、Ｎが正の整数であり、該第１ＢＷＰがＭ個のインターレースを含み、Ｍが正の整数であると仮定する。
【００４８】
選択肢として、該Ｍ値は予め設定されたもの（例えば、基準に規定されたもの、又はネットワーク装置と端末装置が決めたもの）であり、又は、該Ｍ値は該ネットワーク装置が第３指示情報で該端末装置に示すものである（第３指示情報が上位層シグナリング又は物理層シグナリングであってもよく、上位層シグナリングが無線リソース制御（ＲＲＣ、Ｒａｄｉｏ  Ｒｅｓｏｕｒｃｅ  Ｃｏｎｔｒｏｌ）シグナリング又は媒体アクセス制御（ＭＡＣ、Ｍｅｄｉａ  Ａｃｃｅｓｓ  Ｃｏｎｔｒｏｌ）シグナリングを含み、物理層シグナリングがダウンリンク制御情報（ＤＣＩ、Ｄｏｗｎｌｉｎｋ  Ｃｏｎｔｒｏｌ  Ｉｎｆｏｒｍａｔｉｏｎ）を含む）。
【００４９】
選択肢として、異なるＳＣＳの場合、第１ＢＷＰに対応するＮ値が異なり、及び／又は、異なるＳＣＳの場合、第１ＢＷＰに対応するＭ値が異なる。
【００５０】
選択肢として、該第１ＢＷＰのサイズは約２０ＭＨｚである。
【００５１】
理解されるように、１つの周波数領域ユニットは１つ又は複数のＰＲＢであってもよく、１つ又は複数のサブキャリアであってもよく（例えば、１つの周波数領域ユニットは６つのサブキャリア即ち半分のＰＲＢを含む）、本願は制限しない。１つの周波数領域ユニットが少なくとも２つのサブキャリアを含む場合、該少なくとも２つのサブキャリアは周波数領域において連続したものであってもよく、連続しないものであってもよく（例えば、該少なくとも２つのサブキャリアのうちの隣接するいずれか２つのサブキャリア間の周波数領域距離が等しいが連続しない）、本願は制限しない。
【００５２】
選択肢として、本願の実施例では、該端末装置は第１オフセット値及び第１指示情報に基づいて該第１インターレースに含まれる周波数領域ユニットを決定してもよい。
【００５３】
選択肢として、該第１オフセット値は整数個の周波数領域ユニットであり、又は該第１オフセット値は分数個の周波数領域ユニットである。
【００５４】
例えば、該第１オフセット値は０．５個の周波数領域ユニットである。
【００５５】
選択肢として、該第１オフセット値は第１ＳＣＳに基づいて決定したものであり（又は、該第１オフセット値の単位は第１ＳＣＳに基づいて決定したものであり）、該第１ＳＣＳは該第１ＢＷＰに対応するサブキャリア間隔である。
【００５６】
選択肢として、該第１オフセット値は第２ＳＣＳに基づいて決定したものであり（又は、該第１オフセット値の単位は第２ＳＣＳに基づいて決定したものであり）、該第２ＳＣＳは該第１キャリアに対応するサブキャリア間隔である。
【００５７】
選択肢として、該第１オフセット値は該第１ＢＷＰにおける第１ＳＣＳに対応するオフセット値である。
【００５８】
選択肢として、異なるサブキャリア間隔におけるオフセット値は異なる。
【００５９】
例えば、第１ＳＣＳが３０ｋＨｚである場合、第１オフセット値は２である。
【００６０】
更に、例えば、第１ＳＣＳが１５ｋＨｚである場合、第１オフセット値は６である。
【００６１】
選択肢として、異なるサブキャリア間隔におけるオフセット値は値が同じであるが単位が異なる。例えば、１５ｋＨｚ  ＳＣＳにおける第１オフセット値は１つのサブキャリア間隔が１５ｋＨｚである周波数領域ユニットであり、３０ｋＨｚ  ＳＣＳにおける第１オフセット値は１つのサブキャリア間隔が３０ｋＨｚである周波数領域ユニットであり、６０ｋＨｚ  ＳＣＳにおける第１オフセット値は１つのサブキャリア間隔が６０ｋＨｚである周波数領域ユニットである。
【００６２】
選択肢として、異なるサブキャリア間隔における異なる基本インターレースの１番目の周波数領域ユニットの１番目のサブキャリアは周波数領域において揃えられている。
【００６３】
選択肢として、該端末装置は該第１オフセット値に基づいて基本インターレースに含まれる周波数領域ユニットを決定し、該端末装置は該基本インターレースに含まれる周波数領域ユニット及び該第１指示情報に基づいて該第１インターレースに含まれる周波数領域ユニットを決定する。
【００６４】
なお、該基本インターレースは１つの参照インターレースであると理解されてもよく、又は、該基本インターレースは他のインターレースを決定することに用いられてもよい。例えば、該基本インターレースがインターレース＃０であり、該インターレース＃０に含まれる周波数領域ユニットに基づいて、インターレース＃０以外の他のインターレースに含まれる周波数領域ユニットを決定することができる。
【００６５】
選択肢として、本願の実施例では、該基本インターレースに含まれる周波数領域ユニットＸは、Ｍｏｄ（Ｘ，Ｍ）＝第１オフセット値を満足し、
Ｍｏｄはモジュロ演算を示し、Ｘは該基本インターレースに含まれる周波数領域ユニットのインデックスを示し、値範囲が０〜Ｎ−１であり、Ｍは該第１ＢＷＰに含まれるインターレースの総個数を示し、Ｎは該第１ＢＷＰに含まれる周波数領域ユニットの総個数を示し、ＭとＮが正の整数である。
【００６６】
なお、このとき、該第１オフセット値は該基本インターレースのみに対するものであり、例えば、該基本インターレースのみに対するオフセット値であってもよく、すなわち、該端末装置は該第１オフセット値に基づいて基本インターレースに含まれる周波数領域ユニットを決定してもよい。
【００６７】
選択肢として、該端末装置は該基本インターレースに基づいて、他のインターレースインデックスに含まれるＰＲＢを決定してもよい。
【００６８】
例えば、基本インターレースのインデックスがインターレース＃０であり、Ｍｏｄ（Ｘ，Ｍ）＝第１オフセット値を満足し、そうすると、
インターレース＃１に含まれる周波数領域ユニットＺ１がＭｏｄ（Ｚ１，Ｍ）＝第１オフセット値＋１を満足し、
インターレース＃２に含まれる周波数領域ユニットＺ２がＭｏｄ（Ｚ２，Ｍ）＝第１オフセット値＋２を満足し、
…
インターレース＃Ｍ−１に含まれる周波数領域ユニットＺＭ−１がＭｏｄ（ＺＭ−１，Ｍ）＝第１オフセット値＋Ｍ−１を満足する。
【００６９】
例えば、第１ＢＷＰに５１個の周波数領域ユニットが含まれ（即ちＮ＝５１）、且つ該５１個の周波数領域ユニットが６つのインターレースに対応し（即ちＭ＝６）、第１オフセット値が１つの周波数領域ユニットであると仮定すれば、基本インターレースに含まれる周波数領域ユニットＸは、Ｍｏｄ（Ｘ，６）＝１を満足し、
Ｘの値範囲が０〜５０である。即ち、基本インターレースに含まれる周波数領域ユニットのインデックスが１、７、１３、１９、２５、３１、３７、４３、４９である。
【００７０】
選択肢として、本願の実施例では、該第１インターレースに含まれる周波数領域ユニットＹは、Ｍｏｄ（Ｙ，Ｍ）＝第１オフセット値を満足し、
Ｍｏｄはモジュロ演算を示し、Ｙは該第１インターレースに含まれる周波数領域ユニットのインデックスを示し、値範囲が０〜Ｎ−１であり、Ｍは該第１ＢＷＰに含まれるインターレースの総個数を示し、Ｎは該第１ＢＷＰに含まれる周波数領域ユニットの総個数を示し、ＭとＮが正の整数である。
【００７１】
なお、このとき、該第１オフセット値は該第１インターレースに対するものであり、例えば１組の該第１インターレースに対するオフセット値であってもよい。例えば、該第１インターレースがインターレース＃ａ、インターレース＃ｂ及びインターレース＃ｃを含む場合、該第１オフセット値はＡ、Ｂ及びＣからなる１組の値であってもよく、Ａがインターレース＃ａに対応し、Ｂがインターレース＃ｂに対応し、Ｃがインターレース＃ｃに対応する。該端末装置はＡに基づいてインターレース＃ａに含まれる周波数領域ユニットを決定してもよく、Ｂに基づいてインターレース＃ｂに含まれる周波数領域ユニットを決定してもよく、Ｃに基づいてインターレース＃ｃに含まれる周波数領域ユニットを決定してもよい。
【００７２】
例えば、第１ＢＷＰに５１個の周波数領域ユニットが含まれ（即ちＮ＝５１）、且つ該５１個の周波数領域ユニットが６つのインターレースに対応し（即ちＭ＝６）、第１オフセット値が｛２、５｝個の周波数領域ユニットであると仮定すれば、第１インターレースに含まれる周波数領域ユニットＹは、Ｍｏｄ（Ｙ，６）＝｛２、５｝を満足し、
Ｙの値範囲が０〜５０である。即ち、第１インターレースに含まれる周波数領域ユニットのインデックスが２、８、１４、２０、２６、３２、３８、４４、５０、５、１１、１７、２３、２９、３５、４１、４７である。
【００７３】
理解されるように、上記リソース割り当て方式において、異なるインターレースに含まれる周波数領域ユニットの個数は同じであってもよく、異なってもよい。
【００７４】
制限的ではなく例示的なものとして、基本インターレースのインデックスが０、第１ＳＣＳが３０ｋＨｚ、第１オフセット値が２であり、第１ＢＷＰが５１個のＰＲＢを含み、第１ＢＷＰが４つのインターレースを含む場合を例として、本願の実施例を説明する。
【００７５】
インターレース＃０に含まれるＰＲＢのインデックスはＭｏｄ（Ｘ，４）＝２を満足し、Ｘの値範囲が０〜５０であり、即ち、インターレース＃０に含まれるＰＲＢのインデックスが｛２、６、１０、１４、１８、２２、２６、３０、３４、３８、４２、４６、５０｝である。
【００７６】
選択肢として、該端末装置は該基本インターレースに基づいて、他のインターレースインデックスに含まれるＰＲＢを決定することができる。
【００７７】
選択肢として、該第１指示情報は該第１インターレースに含まれるインターレースインデックスを示してもよい。
【００７８】
なお、本願の実施例では、該第１インターレースは少なくとも１つのインターレースを含んでもよい。
【００７９】
選択肢として、上記例では、第１ＢＷＰが４つのインターレースを含むため、第１指示情報が該第１インターレースを示すことは、以下の状況のうちの１つであってもよい。
【００８０】
状況１
第１インターレースがインターレース＃０を含み、又は第１インターレースがインターレース＃１を含み、又は第１インターレースがインターレース＃２を含み、又は第１インターレースがインターレース＃３を含む。
【００８１】
状況２
第１インターレースがインターレース＃０とインターレース＃１を含み、又は第１インターレースがインターレース＃０とインターレース＃２を含み、又は第１インターレースがインターレース＃０とインターレース＃３を含み、又は第１インターレースがインターレース＃１とインターレース＃２を含み、又は第１インターレースがインターレース＃１とインターレース＃３を含み、又は第１インターレースがインターレース＃２とインターレース＃３を含む。
【００８２】
状況３
第１インターレースがインターレース＃０、インターレース＃１及びインターレース＃２を含み、又は第１インターレースがインターレース＃１、インターレース＃２及びインターレース＃３を含み、又は第１インターレースがインターレース＃０、インターレース＃２及びインターレース＃３を含み、又は第１インターレースがインターレース＃０、インターレース＃１及びインターレース＃２を含む。
【００８３】
状況４
第１インターレースがインターレース＃０、インターレース＃１、インターレース＃２及びインターレース＃３を含む。
【００８４】
選択肢として、本願の実施例では、該端末装置は第１オフセット値及び該第１指示情報に基づいて該第１インターレースに含まれる周波数領域ユニットを決定する。
【００８５】
例えば、第１オフセット値は１つのオフセット値集合を含み、端末装置は第１指示情報に基づいて該オフセット値集合における１つ又は複数のオフセット値を決定して、該１つ又は複数のオフセット値に基づいて第１インターレースに含まれる周波数領域ユニットを決定する。
【００８６】
選択肢として、第１オフセット値に含まれるオフセット値の個数はＭ値以下である。
【００８７】
制限的ではなく例示的なものとして、第１ＳＣＳが３０ｋＨｚであるとき、第１ＢＷＰが５１個のＰＲＢを含み、第１ＢＷＰが４つのインターレースを含み、オフセット値集合が｛０，１，２，３｝を含み、第１指示情報は該オフセット値集合における｛２，３｝を使用することを決定することに用いられると仮定し、そうすると、第１インターレースに含まれるＰＲＢのインデックスはＭｏｄ（Ｙ，４）＝｛２，３｝を満足し、Ｙの値範囲が０〜５０であり、即ち、第１インターレースに含まれるＰＲＢのインデックスが｛２、６、１０、１４、１８、２２、２６、３０、３４、３８、４２、４６、５０、３、７、１１、１５、１９、２３、２７、３１、３５、３９、４３、４７｝である。
【００８８】
従って、上記リソース割り当て方式によれば、異なるＳＣＳにおけるインターレースを単位とするリソース割り当てを実現することができる。
【００８９】
選択肢として、本願の実施例では、該端末装置は該第１ＢＷＰに該第１インターレースで整数分割できない少なくとも１つの周波数領域ユニットがあることを決定し、該少なくとも１つの周波数領域ユニットは該第１ＢＷＰにおける第１予約位置に位置する。このとき、該端末装置は該第１予約位置及び該第１指示情報に基づいて該第１インターレースに含まれる周波数領域ユニットを決定する。
【００９０】
選択肢として、該端末装置は該第１予約位置及び該第１指示情報に基づいて該第１インターレースに含まれる周波数領域ユニットを決定し、該第１インターレースには該第１予約位置での周波数領域ユニットが含まれない。
【００９１】
選択肢として、該第１ＢＷＰが第１インターレースで整数分割できないことは、該第１ＢＷＰに含まれる周波数領域ユニットがインターレースで整数分割できず、又は、各インターレースに含まれる周波数領域ユニットの個数が同じである場合、該第１ＢＷＰが整数個のインターレースを含むだけでなく、更にいずれか１つのインターレースに属しない周波数領域ユニットを含むと理解されてもよい。例えば、第１ＢＷＰに１０６個のＰＲＢが含まれ、且つ第１ＢＷＰに１０個のインターレースが含まれ、各インターレースが１０個のＰＲＢを含むと仮定する。即ち、第１ＢＷＰには１０個のインターレースに対応する１００個のＰＲＢが含まれるだけでなく、更にインターレースで整数分割できない６つのＰＲＢが含まれる。該６つのＰＲＢは該第１ＢＷＰにおける第１予約位置に位置する。
【００９２】
選択肢として、該第１予約位置は該第１ＢＷＰの中心位置を含む。
【００９３】
選択肢として、該第１予約位置は該第１ＢＷＰの片側を含む。
【００９４】
選択肢として、該第１予約位置に対応する周波数領域ユニットはリソースの連続割り当て状況におけるアップリンクチャネルを伝送することに用いられる。すなわち、該第１ＢＷＰにはリソースの割り当て連続状況におけるアップリンクチャネルを伝送するための周波数領域ユニットがあり、該端末装置は該第１予約位置での連続する周波数領域ユニットによってアップリンクチャネルを伝送することができる。
【００９５】
例えば、該アップリンクチャネルはＰＵＣＣＨ又はＰＲＡＣＨである。
【００９６】
従って、上記構造を分割することにより、整数分割できないＰＲＢを帯域幅の中心位置に予約し、リソースの連続割り当て状況におけるＰＲＡＣＨを伝送することに役立つ。
【００９７】
選択肢として、本願の実施例では、該第１インターレースに含まれる周波数領域ユニットは第１アップリンクチャネルを伝送するための第１サブインターレースと、第２アップリンクチャネルを伝送するための第２サブインターレースとを含む。
【００９８】
例えば、第１インターレースに含まれるＰＲＢのインデックスが｛２、６、１０、１４、１８、２２、２６、３０、３４、３８、４２、４６、５０｝であると仮定すれば、第１サブインターレースに含まれるＰＲＢのインデックスが｛２、１０、１８、２６、３４、４２、５０｝であり、第２サブインターレースに含まれるＰＲＢのインデックスが｛６、１４、２２、３０、３８、４６｝である。
【００９９】
また、例えば、第１インターレースに含まれるＰＲＢのインデックスが｛２、６、１０、１４、１８、２２、２６、３０、３４、３８、４２、４６、５０｝であると仮定すれば、第１サブインターレースに含まれるＰＲＢのインデックスが｛２、６、１０、１４、１８、２２｝であり、第２サブインターレースに含まれるＰＲＢのインデックスが｛３０、３４、３８、４２、４６、５０｝である。
【０１００】
選択肢として、該第１アップリンクチャネルがＰＲＡＣＨであり、該第２アップリンクチャネルがＰＵＣＣＨであり、又は、該第１アップリンクチャネルがＰＵＣＣＨであり、該第２アップリンクチャネルがＰＲＡＣＨである。
【０１０１】
選択肢として、該第１アップリンクチャネルと該第２アップリンクチャネルは異なるＰＵＣＣＨである。
【０１０２】
選択肢として、該第１アップリンクチャネルと該第２アップリンクチャネルは異なるＰＲＡＣＨである。
【０１０３】
選択肢として、一実施例として、図４に示すように、２０ＭＨｚ帯域幅において、異なるサブキャリア間隔に予約する必要がある無線周波数（ＲＦ、Ｒａｄｉｏ  Ｆｒｅｑｕｅｎｃｙ）サイドバンドが異なるため、異なるサブキャリア間隔において使用できるリソースが異なる。インターレースインデックスの開始は該複数のサブキャリア間隔において使用できるリソースの開始点を開始点とする。１つのインターレースに含まれるＰＲＢのうち、いずれか２つの隣接するＰＲＢ間の距離が等しい。
【０１０４】
選択肢として、図４に示すように、６０ｋＨｚ  ＳＣＳの場合、２０ＭＨｚ帯域幅に２４個のＰＲＢが含まれ、使用可能リソースの順序でインデックスが順に０〜２３である。該２４個のＰＲＢは２つのインターレースを含んでもよく、各インターレースが１２個のＰＲＢを含み、
インターレース＃０がＰＲＢ０、２、４、６、８、１０、１２、１４、１６、１８、２０、２２を含み、
インターレース＃１がＰＲＢ１、３、５、７、９、１１、１３、１５、１７、１９、２１、２３を含む。
【０１０５】
選択肢として、図４に示すように（図中、インターレース＃０及びインターレース＃３のみを示す）、３０ｋＨｚ  ＳＣＳの場合、２０ＭＨｚ帯域幅に５１個のＰＲＢが含まれ、使用可能リソースの順序でインデックスが順に０〜５０である。該５１個のＰＲＢは４つのインターレースを含んでもよく、各インターレースが１２個の又は１３個のＰＲＢを含み、
インターレース＃０がＰＲＢ２、６、１０、１４、１８、２２、２６、３０、３４、３８、４２、４６、５０を含み、
インターレース＃１がＰＲＢ３、７、１１、１５、１９、２３、２７、３１、３５、３９、４３、４７を含み、
インターレース＃２がＰＲＢ４、８、１２、１６、２０、２４、２８、３２、３６、４０、４４、４８、０を含み、
インターレース＃３がＰＲＢ５、９、１３、１７、２１、２５、２９、３３、３７、４１、４５、４９、１を含む。
【０１０６】
選択肢として、図４に示すように（図中、インターレース＃０及びインターレース＃７のみを示す）、１５ｋＨｚ  ＳＣＳの場合、２０ＭＨｚ帯域幅に１０６個のＰＲＢが含まれ、使用可能リソースの順序でインデックスが順に０〜１０５である。該１０６個のＰＲＢは８つのインターレースを含んでもよく、各インターレースが１３個又は１４個のＰＲＢを含み、
インターレース＃０がＰＲＢ６、１４、２２、３０、３８、４６、５４、６２、７０、７８、８６、９４、１０２を含み、
インターレース＃１がＰＲＢ７、１５、２３、３１、３９、４７、５５、６３、７１、７９、８７、９５、１０３を含み、
インターレース＃２がＰＲＢ８、１６、２４、３２、４０、４８、５６、６４、７２、８０、８８、９６、１０４、０を含み、
インターレース＃３がＰＲＢ９、１７、２５、３３、４１、４９、５７、６５、７３、８１、８９、９７、１０５、１を含み、
インターレース＃４がＰＲＢ１０、１８、２６、３４、４２、５０、５８、６６、７４、８２、９０、９８、２を含み、
インターレース＃５がＰＲＢ１１、１９、２７、３５、４３、５１、５９、６７、７５、８３、９１、９９、３を含み、
インターレース＃６がＰＲＢ１２、２０、２８、３６、４４、５２、６０、６８、７６、８４、９２、１００、４を含み、
インターレース＃７がＰＲＢ１３、２１、２９、３７、４５、５３、６１、６９、７７、８５、９３、１０１、５を含む。
【０１０７】
従って、上記構造を分割することにより、異なるＳＣＳにおけるインターレースの開始位置がいずれも同じであり、ネットワーク装置が同じサブキャリア間隔でＢＷＰの設定又はリソースの割り当てを行うことに役立つ。
【０１０８】
選択肢として、一実施例として、３０ｋＨｚ  ＳＣＳの場合、２０ＭＨｚ帯域幅に５１個のＰＲＢが含まれ、使用可能リソースの順序でインデックスが順に０〜５０である。該５１個のＰＲＢは６つのインターレースを含んでもよく、各インターレースが８つ又は９つのＰＲＢを含み、
インターレース＃０がＰＲＢ１、７、１３、１９、２５、３１、３７、４３、４９を含み、
インターレース＃１がＰＲＢ２、８、１４、２０、２６、３２、３８、４４、５０を含み、
インターレース＃２がＰＲＢ３、９、１５、２１、２７、３３、３９、４５を含み、
インターレース＃３がＰＲＢ４、１０、１６、２２、２８、３４、４０、４６を含み、
インターレース＃４がＰＲＢ５、１１、１７、２３、２９、３５、４１、４７を含み、
インターレース＃５がＰＲＢ６、１２、１８、２４、３０、３６、４２、４８、０を含む。
【０１０９】
選択肢として、１５ｋＨｚ  ＳＣＳの場合、２０ＭＨｚ帯域幅に１０６個のＰＲＢが含まれ、使用可能リソースの順序でインデックスが順に０〜１０５である。該１０６個のＰＲＢは１０個のインターレースを含んでもよく、各インターレースが１０個又は１１個のＰＲＢを含み、
インターレース＃０がＰＲＢ４、１４、２４、３４、４４、５４、６４、７４、８４、９４、１０４を含み、
インターレース＃１がＰＲＢ５、１５、２５、３５、４５、５５、６５、７５、８５、９５、１０５を含み、
インターレース＃２がＰＲＢ６、１６、２６、３６、４６、５６、６６、７６、８６、９６を含み、
インターレース＃３がＰＲＢ７、１７、２７、３７、４７、５７、６７、７７、８７、９７を含み、
インターレース＃４がＰＲＢ８、１８、２８、３８、４８、５８、６８、７８、８８、９８を含み、
インターレース＃５がＰＲＢ９、１９、２９、３９、４９、５９、６９、７９、８９、９９を含み、
インターレース＃６がＰＲＢ１０、２０、３０、４０、５０、６０、７０、８０、９０、１００、０を含み、
インターレース＃７がＰＲＢ１１、２１、３１、４１、５１、６１、７１、８１、９１、１０１、１を含み、
インターレース＃８がＰＲＢ１２、２２、３２、４２、５２、６２、７２、８２、９２、１０２、２を含み、
インターレース＃９がＰＲＢ１３、２３、３３、４３、５３、６３、７３、８３、９３、１０３、３を含む。
【０１１０】
選択肢として、一実施例として、図５に示すように、２０ＭＨｚ帯域幅において、異なるサブキャリア間隔に予約する必要があるＲＦサイドバンドが異なるため、異なるサブキャリア間隔において使用できるリソースが異なる。インターレースインデックスの開始は該サブキャリア間隔に対応する使用可能リソースの開始点を開始点とする。１つのインターレースに含まれるＰＲＢは、図４に示される実施例におけるいずれか２つの隣接するＰＲＢ間の距離が等しいという特徴を有せず、該実施例では、インターレースで整数分割できないＰＲＢは第１予約位置に位置する。該第１予約位置は帯域幅の中心位置に位置し、該第１予約位置に対応する周波数領域ユニットはリソースの連続割り当て状況におけるアップリンクチャネル、例えばＰＵＣＣＨ又はＰＲＡＣＨ等を伝送することに用いられる。
【０１１１】
選択肢として、図５に示すように、６０ｋＨｚ  ＳＣＳの場合、２０ＭＨｚ帯域幅に２４個のＰＲＢが含まれ、使用可能リソースの順序でインデックスが順に０〜２３である。該２４個のＰＲＢは２つのインターレースを含んでもよく、
インターレース＃０がＰＲＢ０、２、４、６、８、１０、１２、１４、１６、１８、２０、２２を含み、
インターレース＃１がＰＲＢ１、３、５、７、９、１１、１３、１５、１７、１９、２１、２３を含む。
【０１１２】
選択肢として、図５に示すように（図中、インターレース＃０、インターレース＃１及びインターレース＃３のみを示す）、３０ｋＨｚ  ＳＣＳの場合、２０ＭＨｚ帯域幅に５１個のＰＲＢが含まれ、使用可能リソースの順序でインデックスが順に０〜５０である。該５１個のＰＲＢは４つのインターレースを含んでもよく、
インターレース＃０がＰＲＢ０、４、８、１２、１６、２０、（２４）、２７、３１、３５、３９、４３、４７を含み（（２４）はＰＲＢ２４がインターレース＃０に属してもよく、インターレース＃０に属しなくてもよいことを示し、以下のものが同様であり、詳細な説明は省略する）、
インターレース＃１がＰＲＢ１、５、９、１３、１７、２１、（２５）、２８、３２、３６、４０、４４、４８を含み、
インターレース＃２がＰＲＢ２、６、１０、１４、１８、２２、（２６）、２９、３３、３７、４１、４５、４９を含み、
インターレース＃３がＰＲＢ３、７、１１、１５、１９、２３、３０、３４、３８、４２、４６、５０を含む。
【０１１３】
インターレースで整数分割できないＰＲＢ２４、２５、２６は第１予約位置に位置する。
【０１１４】
選択肢として、図５に示すように（図中、インターレース＃０、インターレース＃１、インターレース＃３及びインターレース＃９のみを示す）、１５ｋＨｚ  ＳＣＳの場合、２０ＭＨｚ帯域幅に１０６個のＰＲＢが含まれ、使用可能リソースの順序でインデックスが順に０〜１０５である。該１０６個のＰＲＢは１０個のインターレースを含んでもよく、
インターレース＃０がＰＲＢ０、１０、２０、３０、４０、（５０）、５６、６６、７６、８６、９６を含み、
インターレース＃１がＰＲＢ１、１１、２１、３１、４１、（５１）、５７、６７、７７、８７、９７を含み、
インターレース＃２がＰＲＢ２、１２、２２、３２、４２、（５２）、５８、６８、７８、８８、９８を含み、
インターレース＃３がＰＲＢ３、１３、２３、３３、４３、（５３）、５９、６９、７９、８９、９９を含み、
インターレース＃４がＰＲＢ４、１４、２４、３４、４４、（５４）、６０、７０、８０、９０、１００を含み、
インターレース＃５がＰＲＢ５、１５、２５、３５、４５、（５５）、６１、７１、８１、９１、１０１を含み、
インターレース＃６がＰＲＢ６、１６、２６、３６、４６、６２、７２、８２、９２、１０２を含み、
インターレース＃７がＰＲＢ７、１７、２７、３７、４７、６３、７３、８３、９３、１０３を含み、
インターレース＃８がＰＲＢ８、１８、２８、３８、４８、６４、７４、８４、９４、１０４を含み、
インターレース＃９がＰＲＢ９、１９、２９、３９、４９、６５、７５、８５、９５、１０５を含む。
【０１１５】
インターレースで整数分割できないＰＲＢ５０、５１、５２、５３、５４、５５は第１予約位置に位置する。
【０１１６】
従って、上記構造を分割することにより、第１インターレースで整数分割できないＰＲＢを第１予約位置に予約し、リソースの連続割り当て状況におけるＰＲＡＣＨを伝送することに役立つ。
【０１１７】
選択肢として、アップリンク信号の伝送に使用される波形がシングルキャリアである（例えば、周波数領域をマッピングする前にＤＦＴ操作を行う）場合に対応するインターレース構造と、アップリンク信号の伝送に使用される波形が直交周波数分割多重（ＯＦＤＭ）である場合に対応するインターレース構造とは異なる。
【０１１８】
選択肢として、アップリンク信号の伝送に使用される波形がシングルキャリアである場合に対応するインターレース構造と、アップリンク信号の伝送に使用される波形がＯＦＤＭである場合に対応するインターレース構造とは同じである場合、シングルキャリア波形に対応するリソース割り当てにおける信号を伝送するための周波数領域ユニットの個数は２、３、５で整除できる。例えば、シングルキャリア波形に対応するリソース割り当てに１１個のＰＲＢが含まれ、端末装置がリソースをマッピングする際に該１１個のＰＲＢのうちの１０個のＰＲＢのみにマッピングする。
【０１１９】
従って、本願の実施例では、リソース割り当ての単位がインターレース構造である場合、ＮＲ−Ｕシステムが様々なサブキャリア間隔をサポートするため、設定されたＢＷＰにおいて、異なるサブキャリア間隔に異なるオフセット値を設定することにより、異なるサブキャリア間隔におけるインターレースをユニットとするリソース割り当てを決定して、ネットワーク装置がリソース割り当てを行うことに役立ち、又はインターレースで整数分割できないＰＲＢを帯域幅の中心位置に予約して、リソースの連続割り当て状況におけるＰＲＡＣＨを伝送することに役立つ。
【０１２０】
図６は本願の実施例に係るリソース割り当て方法３００の模式的なフローチャートであり、図６に示すように、該方法３００は、
ネットワーク装置が第１指示情報を端末装置に送信し、該第１指示情報は第１ＢＷＰにおける第１インターレースに含まれる周波数領域ユニットを決定することに用いられるＳ３１０を含んでもよい。
【０１２１】
選択肢として、該第１インターレースに含まれる周波数領域ユニットは該第１指示情報及び第１オフセット値に基づいて決定したものである。
【０１２２】
選択肢として、該第１オフセット値は基本インターレースに含まれる周波数領域ユニットを決定することに用いられ、該第１インターレースに含まれる周波数領域ユニットは具体的に該第１指示情報及び該基本インターレースに含まれる周波数領域ユニットに基づいて決定したものである。
【０１２３】
選択肢として、該基本インターレースに含まれる周波数領域ユニットＸは、
Ｍｏｄ（Ｘ，Ｍ）＝第１オフセット値を満足し、
Ｍｏｄはモジュロ演算を示し、Ｘは該基本インターレースに含まれる周波数領域ユニットのインデックスを示し、値範囲が０〜Ｎ−１であり、Ｍは該第１ＢＷＰに含まれるインターレースの総個数を示し、Ｎは該第１ＢＷＰに含まれる周波数領域ユニットの総個数を示し、ＭとＮが正の整数である。
【０１２４】
選択肢として、該第１インターレースに含まれる周波数領域ユニットＹは、
Ｍｏｄ（Ｙ，Ｍ）＝第１オフセット値を満足し、
Ｍｏｄはモジュロ演算を示し、Ｙは該第１インターレースに含まれる周波数領域ユニットのインデックスを示し、値範囲が０〜Ｎ−１であり、Ｍは該第１ＢＷＰに含まれるインターレースの総個数を示し、Ｎは該第１ＢＷＰに含まれる周波数領域ユニットの総個数を示し、ＭとＮが正の整数である。
【０１２５】
選択肢として、該ネットワーク装置は該第１オフセット値を決定するための第２指示情報を該端末装置に送信する。
【０１２６】
選択肢として、該第１オフセット値は該第１ＢＷＰに基づいて決定したものであり、及び／又は、
該第１オフセット値は第１サブキャリア間隔に基づいて決定したものであり、該第１サブキャリア間隔は該第１ＢＷＰに対応する第１サブキャリア間隔であり、及び／又は、
該第１オフセット値はＭ値に基づいて決定したものであり、該Ｍ値は該第１ＢＷＰに含まれるインターレースの総個数を示す。
【０１２７】
選択肢として、該ネットワーク装置は該Ｍ値を決定するための第３指示情報を該端末装置に送信する。
【０１２８】
選択肢として、本願の実施例では、該ネットワーク装置は該第１ＢＷＰに該第１インターレースで整数分割できない少なくとも１つの周波数領域ユニットがあることを決定し、該少なくとも１つの周波数領域ユニットは該第１ＢＷＰにおける第１予約位置に位置し、該第１インターレースに含まれる周波数領域ユニットは該第１予約位置及び該第１指示情報に基づいて決定したものである。
【０１２９】
選択肢として、該第１予約位置は該第１ＢＷＰの中心位置を含む。
【０１３０】
選択肢として、該第１予約位置に対応する周波数領域ユニットはリソースの連続割り当て状況におけるアップリンクチャネルを伝送することに用いられる。
【０１３１】
選択肢として、該アップリンクチャネルはＰＵＣＣＨ又はＰＲＡＣＨである。
【０１３２】
選択肢として、該第１インターレースに含まれる周波数領域ユニットは第１アップリンクチャネルを伝送するための第１サブインターレースと、第２アップリンクチャネルを伝送するための第２サブインターレースとを含む。
【０１３３】
例えば、該第１アップリンクチャネルがＰＲＡＣＨであり、該第２アップリンクチャネルがＰＵＣＣＨであり、又は、
該第１アップリンクチャネルと該第２アップリンクチャネルは異なるＰＵＣＣＨである。
【０１３４】
具体的に、該第１サブインターレースは該第１インターレースに含まれる周波数領域ユニットのうちの奇数番目の周波数領域ユニットであり、該第２サブインターレースは該第１インターレースに含まれる周波数領域ユニットのうちの偶数番目の周波数領域ユニットであり、又は、
該第１サブインターレースは該第１インターレースに含まれる周波数領域ユニットのうちの上位Ｐ個の周波数領域ユニットであり、該第２サブインターレースは該第１インターレースに含まれる周波数領域ユニットのうちの下位Ｑ個の周波数領域ユニットであり、ＰとＱが正の整数である。
【０１３５】
理解されるように、リソース割り当て方法３００におけるステップについては、リソース割り当て方法２００における対応ステップを参照してもよい。簡潔のために、ここで詳細な説明は省略する。
【０１３６】
従って、本願の実施例では、リソース割り当ての単位がインターレース構造である場合、ＮＲ−Ｕシステムが様々なサブキャリア間隔をサポートするため、設定によって、異なるサブキャリア間隔におけるインターレースの開始位置を同じにすることにより、ネットワーク装置は同じサブキャリア間隔でＢＷＰの設定又はリソースの割り当てを行い、又はインターレースで整数分割できないＰＲＢを帯域幅の中心位置に予約し、リソースの連続割り当て状況におけるＰＲＡＣＨを伝送することに役立つ。
【０１３７】
図７は本願の実施例に係る端末装置４００の模式的なブロック図である。図７に示すように、該端末装置４００は通信ユニット４１０と処理ユニット４２０を備え、
該通信ユニット４１０は、ネットワーク装置から送信された第１指示情報を受信することに用いられ、該第１指示情報は第１ＢＷＰにおける第１インターレースに含まれる周波数領域ユニットを決定することに用いられ、
該処理ユニット４２０は、該第１指示情報に基づいて該第１インターレースに含まれる周波数領域ユニットを決定することに用いられる。
【０１３８】
選択肢として、該処理ユニット４２０は具体的に、
第１オフセット値及び該第１指示情報に基づいて該第１インターレースに含まれる周波数領域ユニットを決定することに用いられる。
【０１３９】
選択肢として、該処理ユニット４２０は具体的に、
該第１オフセット値に基づいて基本インターレースに含まれる周波数領域ユニットを決定することと、
該基本インターレースに含まれる周波数領域ユニット及び該第１指示情報に基づいて該第１インターレースに含まれる周波数領域ユニットを決定することと、に用いられる。
【０１４０】
選択肢として、該基本インターレースに含まれる周波数領域ユニットＸは、
Ｍｏｄ（Ｘ，Ｍ）＝該第１オフセット値を満足し、
Ｍｏｄはモジュロ演算を示し、Ｘは該基本インターレースに含まれる周波数領域ユニットのインデックスを示し、値範囲が０〜Ｎ−１であり、Ｍは該第１ＢＷＰに含まれるインターレースの総個数を示し、Ｎは該第１ＢＷＰに含まれる周波数領域ユニットの総個数を示し、ＭとＮが正の整数である。
【０１４１】
選択肢として、該第１インターレースに含まれる周波数領域ユニットＹは、
Ｍｏｄ（Ｙ，Ｍ）＝該第１オフセット値を満足し、
Ｍｏｄはモジュロ演算を示し、Ｙは該第１インターレースに含まれる周波数領域ユニットのインデックスを示し、値範囲が０〜Ｎ−１であり、Ｍは該第１ＢＷＰに含まれるインターレースの総個数を示し、Ｎは該第１ＢＷＰに含まれる周波数領域ユニットの総個数を示し、ＭとＮが正の整数である。
【０１４２】
選択肢として、該第１オフセット値は予め設定されたものであり、又は、
該第１オフセット値は該ネットワーク装置が第２指示情報で該端末装置に示すものである。
【０１４３】
選択肢として、該第１オフセット値は該第１ＢＷＰに基づいて決定したものであり、及び／又は、
該第１オフセット値は第１サブキャリア間隔に基づいて決定したものであり、該第１サブキャリア間隔は該第１ＢＷＰに対応する第１サブキャリア間隔であり、及び／又は、
該第１オフセット値はＭ値に基づいて決定したものであり、該Ｍ値は該第１ＢＷＰに含まれるインターレースの総個数を示す。
【０１４４】
選択肢として、該Ｍ値は予め設定されたものであり、又は、
該Ｍ値は該第１ＢＷＰ及び該第１サブキャリア間隔に基づいて決定したものであり、又は、
該Ｍ値は該ネットワーク装置が第３指示情報で該端末装置に示すものである。
【０１４５】
選択肢として、該処理ユニット４２０は更に、該第１ＢＷＰに該第１インターレースで整数分割できない少なくとも１つの周波数領域ユニットがあることを決定することに用いられ、該少なくとも１つの周波数領域ユニットは該第１ＢＷＰにおける第１予約位置に位置し、
該処理ユニット４２０は具体的に、
該第１予約位置及び該第１指示情報に基づいて該第１インターレースに含まれる周波数領域ユニットを決定することに用いられる。
【０１４６】
選択肢として、該第１予約位置は該第１ＢＷＰの中心位置を含む。
【０１４７】
選択肢として、該第１予約位置に対応する周波数領域ユニットはリソースの連続割り当て状況におけるアップリンクチャネルを伝送することに用いられる。
【０１４８】
選択肢として、該アップリンクチャネルはＰＵＣＣＨ又はＰＲＡＣＨである。
【０１４９】
選択肢として、該第１インターレースに含まれる周波数領域ユニットは第１アップリンクチャネルを伝送するための第１サブインターレースと、第２アップリンクチャネルを伝送するための第２サブインターレースとを含む。
【０１５０】
選択肢として、該第１アップリンクチャネルがＰＲＡＣＨであり、該第２アップリンクチャネルがＰＵＣＣＨであり、又は、
該第１アップリンクチャネルと該第２アップリンクチャネルは異なるＰＵＣＣＨである。
【０１５１】
選択肢として、該第１サブインターレースは該第１インターレースに含まれる周波数領域ユニットのうちの奇数番目の周波数領域ユニットであり、該第２サブインターレースは該第１インターレースに含まれる周波数領域ユニットのうちの偶数番目の周波数領域ユニットであり、又は、
該第１サブインターレースは該第１インターレースに含まれる周波数領域ユニットのうちの上位Ｐ個の周波数領域ユニットであり、該第２サブインターレースは該第１インターレースに含まれる周波数領域ユニットのうちの下位Ｑ個の周波数領域ユニットであり、ＰとＱが正の整数である。
【０１５２】
理解されるように、本願の実施例に係る端末装置４００は本願の方法実施例の端末装置に対応してもよく、且つ端末装置４００の各ユニットの上記及び他の操作及び／又は機能はそれぞれ図３に示される方法２００における端末装置の対応プロセスを実現するためのものである。簡潔のために、ここで詳細な説明は省略する。
【０１５３】
図８は本願の実施例に係るネットワーク装置５００の模式的なブロック図である。図８に示すように、該ネットワーク装置５００は通信ユニット５１０を備え、
該通信ユニット５１０は、第１指示情報を端末装置に送信することに用いられ、該第１指示情報は第１ＢＷＰにおける第１インターレースに含まれる周波数領域ユニットを決定することに用いられる。
【０１５４】
選択肢として、該第１インターレースに含まれる周波数領域ユニットは該第１指示情報及び第１オフセット値に基づいて決定したものである。
【０１５５】
選択肢として、該第１オフセット値は基本インターレースに含まれる周波数領域ユニットを決定することに用いられ、該第１インターレースに含まれる周波数領域ユニットは具体的に該第１指示情報及び該基本インターレースに含まれる周波数領域ユニットに基づいて決定したものである。
【０１５６】
選択肢として、該基本インターレースに含まれる周波数領域ユニットＸは、
Ｍｏｄ（Ｘ，Ｍ）＝該第１オフセット値を満足し、
Ｍｏｄはモジュロ演算を示し、Ｘは該基本インターレースに含まれる周波数領域ユニットのインデックスを示し、値範囲が０〜Ｎ−１であり、Ｍは該第１ＢＷＰに含まれるインターレースの総個数を示し、Ｎは該第１ＢＷＰに含まれる周波数領域ユニットの総個数を示し、ＭとＮが正の整数である。
【０１５７】
選択肢として、該第１インターレースに含まれる周波数領域ユニットＹは、
Ｍｏｄ（Ｙ，Ｍ）＝該第１オフセット値を満足し、
Ｍｏｄはモジュロ演算を示し、Ｙは該第１インターレースに含まれる周波数領域ユニットのインデックスを示し、値範囲が０〜Ｎ−１であり、Ｍは該第１ＢＷＰに含まれるインターレースの総個数を示し、Ｎは該第１ＢＷＰに含まれる周波数領域ユニットの総個数を示し、ＭとＮが正の整数である。
【０１５８】
選択肢として、該通信ユニット５１０は更に、該第１オフセット値を決定するための第２指示情報を該端末装置に送信することに用いられる。
【０１５９】
選択肢として、該第１オフセット値は該第１ＢＷＰに基づいて決定したものであり、及び／又は、
該第１オフセット値は第１サブキャリア間隔に基づいて決定したものであり、該第１サブキャリア間隔は該第１ＢＷＰに対応する第１サブキャリア間隔であり、及び／又は、
該第１オフセット値はＭ値に基づいて決定したものであり、該Ｍ値は該第１ＢＷＰに含まれるインターレースの総個数を示す。
【０１６０】
選択肢として、該通信ユニット５１０は更に、該Ｍ値を決定するための第３指示情報を該端末装置に送信することに用いられる。
【０１６１】
選択肢として、該ネットワーク装置５００は更に処理ユニット５２０を備え、
該処理ユニット５２０は、該第１ＢＷＰに該第１インターレースで整数分割できない少なくとも１つの周波数領域ユニットがあることを決定することに用いられ、該少なくとも１つの周波数領域ユニットは該第１ＢＷＰにおける第１予約位置に位置し、該第１インターレースに含まれる周波数領域ユニットは該第１予約位置及び該第１指示情報に基づいて決定したものである。
【０１６２】
選択肢として、該第１予約位置は該第１ＢＷＰの中心位置を含む。
【０１６３】
選択肢として、該第１予約位置に対応する周波数領域ユニットはリソースの連続割り当て状況におけるアップリンクチャネルを伝送することに用いられる。
【０１６４】
選択肢として、該アップリンクチャネルはＰＵＣＣＨ又はＰＲＡＣＨである。
【０１６５】
選択肢として、該第１インターレースに含まれる周波数領域ユニットは第１アップリンクチャネルを伝送するための第１サブインターレースと、第２アップリンクチャネルを伝送するための第２サブインターレースとを含む。
【０１６６】
選択肢として、該第１アップリンクチャネルがＰＲＡＣＨであり、該第２アップリンクチャネルがＰＵＣＣＨであり、又は、
該第１アップリンクチャネルと該第２アップリンクチャネルは異なるＰＵＣＣＨである。
【０１６７】
選択肢として、該第１サブインターレースは該第１インターレースに含まれる周波数領域ユニットのうちの奇数番目の周波数領域ユニットであり、該第２サブインターレースは該第１インターレースに含まれる周波数領域ユニットのうちの偶数番目の周波数領域ユニットであり、又は、
該第１サブインターレースは該第１インターレースに含まれる周波数領域ユニットのうちの上位Ｐ個の周波数領域ユニットであり、該第２サブインターレースは該第１インターレースに含まれる周波数領域ユニットのうちの下位Ｑ個の周波数領域ユニットであり、ＰとＱが正の整数である。
【０１６８】
理解されるように、本願の実施例に係るネットワーク装置５００は本願の方法実施例のネットワーク装置に対応してもよく、且つネットワーク装置５００の各ユニットの上記及び他の操作及び／又は機能はそれぞれ図６に示される方法３００におけるネットワーク装置の対応プロセスを実現するためのものである。簡潔のために、ここで詳細な説明は省略する。
【０１６９】
図９は本願の実施例に係る通信装置６００の構造模式図である。図９に示される通信装置６００はプロセッサ６１０を備え、プロセッサ６１０はメモリからコンピュータプログラムを呼び出して実行して、本願の実施例の方法を実現することができる。
【０１７０】
選択肢として、図９に示すように、通信装置６００は更にメモリ６２０を備えてもよい。プロセッサ６１０はメモリ６２０からコンピュータプログラムを呼び出して実行して、本願の実施例の方法を実現することができる。
【０１７１】
メモリ６２０はプロセッサ６１０から独立した１つの独立したデバイスであってもよく、プロセッサ６１０に統合されてもよい。
【０１７２】
選択肢として、図９に示すように、通信装置６００は更に送受信機６３０を備えてもよい。プロセッサ６１０は該送受信機６３０と他の装置との通信を制御することができ、具体的に、他の装置に情報又はデータを送信し、又は他の装置から送信された情報又はデータを受信することができる。
【０１７３】
送受信機６３０は送信機と受信機を備えてもよい。送受信機６３０は更にアンテナを備えてもよく、アンテナの数が１つ又は複数であってもよい。
【０１７４】
選択肢として、該通信装置６００は具体的に本願の実施例のネットワーク装置であってもよく、且つ該通信装置６００は本願の実施例の各方法におけるネットワーク装置の実現する対応プロセスを実現することができる。簡潔のために、ここで詳細な説明は省略する。
【０１７５】
選択肢として、該通信装置６００は具体的に本願の実施例のモバイル端末／端末装置であってもよく、且つ該通信装置６００は本願の実施例の各方法におけるモバイル端末／端末装置の実現する対応プロセスを実現することができる。簡潔のために、ここで詳細な説明は省略する。
【０１７６】
図１０は本願の実施例のチップの構造模式図である。図１０に示されるチップ７００はプロセッサ７１０を備え、プロセッサ７１０はメモリからコンピュータプログラムを呼び出して実行して、本願の実施例の方法を実現することができる。
【０１７７】
選択肢として、図１０に示すように、チップ７００は更にメモリ７２０を備えてもよい。プロセッサ７１０はメモリ７２０からコンピュータプログラムを呼び出して実行して、本願の実施例の方法を実現することができる。
【０１７８】
メモリ７２０はプロセッサ７１０から独立した１つの独立したデバイスであってもよく、プロセッサ７１０に統合されてもよい。
【０１７９】
選択肢として、該チップ７００は更に入力インターフェース７３０を備えてもよい。プロセッサ７１０は該入力インターフェース７３０と他の装置又はチップとの通信を制御することができ、具体的に、他の装置又はチップから送信された情報又はデータを取得することができる。
【０１８０】
選択肢として、該チップ７００は更に出力インターフェース７４０を備えてもよい。プロセッサ７１０は該出力インターフェース７４０と他の装置又はチップとの通信を制御することができ、具体的に、他の装置又はチップに情報又はデータを出力することができる。
【０１８１】
選択肢として、該チップは本願の実施例のネットワーク装置に適用されてもよく、且つ該チップは本願の実施例の各方法におけるネットワーク装置の実現する対応プロセスを実現することができる。簡潔のために、ここで詳細な説明は省略する。
【０１８２】
選択肢として、該チップは本願の実施例のモバイル端末／端末装置に適用されてもよく、且つ該チップは本願の実施例の各方法におけるモバイル端末／端末装置の実現する対応プロセスを実現することができる。簡潔のために、ここで詳細な説明は省略する。
【０１８３】
理解されるように、本願の実施例に言及したチップは更にシステムレベルチップ、システムチップ、チップシステム又はシステムオンチップ等と称されてもよい。
【０１８４】
図１１は本願の実施例に係る通信システム８００の模式的なブロック図である。図１１に示すように、該通信システム８００は端末装置８１０及びネットワーク装置８２０を備える。
【０１８５】
該端末装置８１０は上記方法における端末装置の実現する対応機能を実現することに用いられてもよく、該ネットワーク装置８２０は上記方法におけるネットワーク装置の実現する対応機能を実現することに用いられてもよい。簡潔のために、ここで詳細な説明は省略する。
【０１８６】
理解されるように、本願の実施例のプロセッサは信号処理機能を有する集積回路チップでありうる。実現過程において、上記方法実施例の各ステップはプロセッサにおけるハードウェアの集積論理回路又はソフトウェア形式の命令で行われてもよい。上記プロセッサは汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。本願の実施例に開示される方法のステップはハードウェア復号プロセッサで実行して完成し、又は復号プロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを行う。
【０１８７】
理解されるように、本願の実施例では、メモリは揮発性メモリ又は不揮発性メモリであってもよく、又は、揮発性メモリ及び不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ、Ｒａｎｄｏｍ  Ａｃｃｅｓｓ  Ｍｅｍｏｒｙ）であってもよい。例示的な説明であって制限的ではないが、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）は利用可能である。注意されるように、本明細書に説明されるシステム及び方法のメモリはこれらのメモリ及び任意の他の適切なタイプのメモリを含むが、それらに限らないように意図されるものである。
【０１８８】
理解されるように、上記メモリは例示的な説明であって制限的ではなく、例えば、本願の実施例のメモリは更にスタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。すなわち、本願の実施例のメモリはこれらのメモリ及び任意の他の適切なタイプのメモリを含むが、それらに限らないように意図されるものである。
【０１８９】
本願の実施例は更にコンピュータ可読記憶媒体を提供し、該コンピュータ可読記憶媒体はコンピュータプログラムを記憶することに用いられる。
【０１９０】
選択肢として、該コンピュータ可読記憶媒体は本願の実施例のネットワーク装置に適用されてもよく、且つ該コンピュータプログラムによってコンピュータが本願の実施例の各方法におけるネットワーク装置の実現する対応プロセスを実行する。簡潔のために、ここで詳細な説明は省略する。
【０１９１】
選択肢として、該コンピュータ可読記憶媒体は本願の実施例のモバイル端末／端末装置に適用されてもよく、且つ該コンピュータプログラムによってコンピュータが本願の実施例の各方法におけるモバイル端末／端末装置の実現する対応プロセスを実行する。簡潔のために、ここで詳細な説明は省略する。
【０１９２】
本願の実施例は更にコンピュータプログラム製品を提供し、該コンピュータプログラム製品はコンピュータプログラム命令を含む。
【０１９３】
選択肢として、該コンピュータプログラム製品は本願の実施例のネットワーク装置に適用されてもよく、且つ該コンピュータプログラム命令によってコンピュータが本願の実施例の各方法におけるネットワーク装置の実現する対応プロセスを実行する。簡潔のために、ここで詳細な説明は省略する。
【０１９４】
選択肢として、該コンピュータプログラム製品は本願の実施例のモバイル端末／端末装置に適用されてもよく、且つ該コンピュータプログラム命令によってコンピュータが本願の実施例の各方法におけるモバイル端末／端末装置の実現する対応プロセスを実行する。簡潔のために、ここで詳細な説明は省略する。
【０１９５】
本願の実施例は更にコンピュータプログラムを提供する。
【０１９６】
選択肢として、該コンピュータプログラムは本願の実施例のネットワーク装置に適用されてもよく、該コンピュータプログラムがコンピュータにおいて実行されるとき、コンピュータが本願の実施例の各方法におけるネットワーク装置の実現する対応プロセスを実行する。簡潔のために、ここで詳細な説明は省略する。
【０１９７】
選択肢として、該コンピュータプログラムは本願の実施例のモバイル端末／端末装置に適用されてもよく、該コンピュータプログラムがコンピュータにおいて実行されるとき、コンピュータが本願の実施例の各方法におけるモバイル端末／端末装置の実現する対応プロセスを実行する。簡潔のために、ここで詳細な説明は省略する。
【０１９８】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０１９９】
当業者であれば明確に理解できるように、説明を容易で簡単にするために、上記説明されるシステム、装置及びユニットの具体的な動作過程については、前述の方法実施例における対応過程を参照してもよく、ここで詳細な説明は省略する。
【０２００】
本願に係るいくつかの実施例において、理解されるように、開示されるシステム、装置及び方法は他の方式で実現されてもよい。例えば、以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０２０１】
分離部材として説明される前記ユニットは物理的に分離してもよく、物理的に分離しなくてもよく、ユニットとして表示される部材は物理ユニットであってもよく、物理ユニットでなくてもよく、即ち、一箇所に位置してもよく、複数のネットワークユニットに配置されてもよい。実際の必要に応じて、その一部又は全部のユニットを選択して本実施例案の目的を実現してもよい。
【０２０２】
また、本願の各実施例では、各機能ユニットは１つの処理ユニットに統合されてもよく、各ユニットは独立して物理的に存在してもよく、２つ以上のユニットは１つのユニットに統合されてもよい。
【０２０３】
前記機能はソフトウェア機能ユニットの形式で実現され、独立した製品として販売又は使用されるときは、１つのコンピュータ可読記憶媒体に記憶されてもよい。このような理解に基づいて、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等であってもよい）に本願の各実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【０２０４】
以上の説明は本願の具体的な実施形態に過ぎず、本願の保護範囲を制限するためのものではない。当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2021534687.tif 000005
【図２】
2021534687.tif 000006
【図３】
2021534687.tif 000007
【図４】
2021534687.tif 000008
【図５】
2021534687.tif 000009
【図６】
2021534687.tif 000010
【図７】
2021534687.tif 000011
【図８】
2021534687.tif 000012
【図９】
2021534687.tif 000013
【図１０】
2021534687.tif 000014
【図１１】
2021534687.tif 000015
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
リソース割り当て方法であって、
端末装置が第１指示情報を受信し、前記第１指示情報は、第１帯域幅パート（ＢＷＰ）における第１インターレースインデックスに含まれる周波数領域ユニットを示すことに用いられることと、
前記端末装置が第１オフセット値と前記第１指示情報に基づいて、前記第１ＢＷＰにおける前記第１インターレースインデックスに含まれる周波数領域ユニットを決定することと、を含むことを特徴とするリソース割り当て方法。
【請求項２】
前記第１オフセット値は、前記第１ＢＷＰにおける基本インターレースインデックスに含まれる周波数領域ユニットを決定することに用いられることを特徴とする請求項１に記載の方法。
【請求項３】
前記端末装置が第１オフセット値及び前記第１指示情報に基づいて前記第１ＢＷＰにおける前記第１インターレースインデックスに含まれる周波数領域ユニットを決定することは、
前記端末装置が前記第１オフセット値に基づいて、前記第１ＢＷＰにおける基本インターレースインデックスに含まれる周波数領域ユニットを決定することと、
前記端末装置が前記基本インターレースインデックスに含まれる周波数領域ユニット及び前記第１指示情報に基づいて、前記第１ＢＷＰにおける前記第１インターレースインデックスに含まれる周波数領域ユニットを決定することと、を含むことを特徴とする請求項１に記載の方法。
【請求項４】
前記第１ＢＷＰにおける前記基本インターレースインデックスに含まれる周波数領域ユニットＸは、
Ｍｏｄ（Ｘ，Ｍ）＝前記第１オフセット値を満足し、
Ｍｏｄはモジュロ演算を示し、Ｘは前記基本インターレースインデックスに含まれる周波数領域ユニットのインデックスを示し、値範囲が０〜Ｎ−１であり、Ｍは前記第１ＢＷＰに含まれるインターレースの総個数を示し、Ｎは前記第１ＢＷＰに含まれる周波数領域ユニットの総個数を示し、ＭとＮが正の整数であることを特徴とする請求項２又は３に記載の方法。
【請求項５】
前記第１オフセット値は、前記第１ＢＷＰにおける前記第１インターレースインデックスに含まれる周波数領域ユニットを決定することに用いられることを特徴とする請求項１に記載の方法。
【請求項６】
前記第１ＢＷＰにおける前記第１インターレースインデックスに含まれる周波数領域ユニットＹは、
Ｍｏｄ（Ｙ，Ｍ）＝前記第１オフセット値を満足し、
Ｍｏｄはモジュロ演算を示し、Ｙは前記第１インターレースインデックスに含まれる周波数領域ユニットのインデックスを示し、値範囲が０〜Ｎ−１であり、Ｍは前記第１ＢＷＰに含まれるインターレースの総個数を示し、Ｎは前記第１ＢＷＰに含まれる周波数領域ユニットの総個数を示し、ＭとＮが正の整数であることを特徴とする請求項１又は５に記載の方法。
【請求項７】
前記第１オフセット値は予め設定されたものであり、又は、
前記第１オフセット値は、前記ネットワーク装置が第２指示情報に基づいて前記端末装置に示すものであることを特徴とする請求項１〜６のいずれか１項に記載の方法。
【請求項８】
前記第１オフセット値は前記第１ＢＷＰ、第１サブキャリア間隔とＭ値のうちの少なくとも１つに基づいて決定したものであり、
前記第１サブキャリア間隔は前記第１ＢＷＰに対応する第１サブキャリア間隔であり、
前記Ｍ値は前記第１ＢＷＰに含まれるインターレースの総個数を示すことを特徴とする請求項１〜７のいずれか１項に記載の方法。
【請求項９】
前記Ｍ値は予め設定されたものであり、又は、
前記Ｍ値は前記第１ＢＷＰ及び前記第１サブキャリア間隔に基づいて決定したものであり、又は、
前記Ｍ値は前記ネットワーク装置が第３指示情報に基づいて前記端末装置に示すものであることを特徴とする請求項８に記載の方法。
【請求項１０】
第１周波数領域ユニット集合は、前記第１ＢＷＰにおける前記第１インターレースインデックスに含まれる周波数領域ユニットを含み、前記第１周波数領域ユニット集合は、アップリンクチャネルを伝送することに用いられることを特徴とする請求項１〜９のいずれか１項に記載の方法。
【請求項１１】
前記第１ＢＷＰにおける前記第１インターレースインデックスに含まれる周波数領域ユニットは、少なくとも第１サブインターレースと第２サブインターレースを含み、
前記第１サブインターレースは、前記第１インターレースインデックスに含まれる周波数領域ユニットのうちの奇数番目の周波数領域ユニットを含み、前記第２サブインターレースは、前記第１インターレースインデックスに含まれる周波数領域ユニットのうちの偶数番目の周波数領域ユニットを含み、又は、
前記第１サブインターレースは、前記第１インターレースインデックスに含まれる周波数領域ユニットのうちの上位Ｐ個の周波数領域ユニットを含み、前記第２サブインターレースは、前記第１インターレースインデックスに含まれる周波数領域ユニットのうちの下位Ｑ個の周波数領域ユニットを含み、ＰとＱが正の整数であることを特徴とする請求項１〜９のいずれか１項に記載の方法。
【請求項１２】
第１周波数領域ユニット集合は、前記第１サブインターレースに含まれる周波数領域ユニットを含み、又は、前記第１周波数領域ユニット集合は、前記第２サブインターレースに含まれる周波数領域ユニットを含み、前記第１周波数領域ユニット集合は、アップリンクチャネルを伝送することに用いられることを特徴とする請求項１１に記載の方法。
【請求項１３】
前記アップリンクチャネルは、物理ランダムアクセスチャネル（ＰＲＡＣＨ）と物理アップリンク制御チャネル（ＰＵＣＣＨ）のうちの少なくとも１つを含むことを特徴とする請求項１２に記載の方法。
【請求項１４】
前記アップリンクチャネルにおける信号伝送に使用される波形は直交周波数分割多重（ＯＦＤＭ）波形であり、又は、
前記アップリンクチャネルにおける信号伝送に使用される波形はシングルキャリア波形であることを特徴とする請求項１０、１２又は１３に記載の方法。
【請求項１５】
前記アップリンクチャネルにおける信号伝送に使用される波形がシングルキャリア波形である場合、前記第１周波数領域ユニット集合における前記アップリンクチャネルを伝送するための周波数領域ユニットの個数は２、３、５で整除できることを特徴とする請求項１４に記載の方法。
【請求項１６】
端末装置であって、請求項１〜１５のいずれか１項に記載の方法を実行するように構成されることを特徴とする端末装置。
【国際調査報告】
2021534687.tif 000016
2021534687.tif 000017
2021534687.tif 000018
2021534687.tif 000019